(57)【特許請求の範囲】
【請求項１】
始動口と、前記始動口への入球に基づいて特別図柄を変動表示可能な図柄表示装置と、開閉可能に構成された大入賞口とを有し、前記図柄表示装置にて変動表示される前記特別図柄が所定の大当り態様で停止表示されると、前記大入賞口が開放状態となる大当り遊技が開始される弾球遊技機において、
前記始動口に遊技球が入球すると、前記特別図柄を前記大当り態様で停止表示させるか
否かを決定するための乱数を取得する乱数取得手段と、
前記乱数取得手段により取得された乱数を保留として記憶する保留記憶手段と、
前記保留として記憶された乱数を前記特別図柄の変動表示の開始に際して読み出し、この読み出した乱数が、前記特別図柄を前記大当り態様で停止表示させることとなる大当りに対応する乱数であるか否かを判断する大当り判断手段と、
前記特別図柄の変動時間として、複数の変動時間のうちの何れかの変動時間を設定する変動時間設定手段と、
前記特別図柄の変動表示を開始させる図柄変動開始手段と、
前記特別図柄の変動表示が開始された後、前記変動時間設定手段が設定した変動時間が経過すると、該変動表示されている特別図柄を前記大当り判断手段による判断の結果に応じた態様で停止表示させる図柄停止手段と、
前記保留記憶手段により記憶される前記保留が前記大当りに対応する当り保留であるか否かを、前記大当り判断手段による判断が行われるのに先立って事前に判定する事前判定手段と、
前記大当り遊技が終了すると、前記変動時間設定手段が、予め定められた固定時間を変動時間に設定する特定遊技を、前記特別図柄の変動表示の実行回数が所定の規定回数に達するまで行う特定遊技実行手段と、
前記特定遊技の実行中に前記当り保留が発生すると、予め演出実行時間を設定して、この当り保留に基づく前記図柄の変動表示が少なくとも開始されるまで、前記当り保留の発生を告知する所定の当り告知演出を実行する当り告知演出実行手段と、
を備え、
前記当り告知演出実行手段は、前記特定遊技の実行中における前記乱数取得手段の乱数取得回数が、前記大当り遊技の終了時点で前記保留記憶手段に記憶されていた前記保留の個数を前記規定回数から減算した値の回数となるまで、前記当り告知演出を実行可能に構成されることを特徴とする弾球遊技機。
【請求項２】
前記特定遊技の実行中に前記当り保留が発生すると、この当り保留の他に前記保留記憶手段が記憶している保留の個数を検出する保留個数検出手段と、
前記保留個数検出手段により検出された保留の個数と前記固定時間とに基づいて、前記当り保留の発生からその当り保留に基づく前記図柄の変動表示が少なくとも開始されるまでに要する時間を設定する設定手段と、
を備え、
前記当り告知演出実行手段は、前記設定手段により設定される時間にしたがって前記当り告知演出を実行することを特徴とする請求項１に記載の弾球遊技機。
【請求項３】
前記大当り遊技の終了時点で前記保留記憶手段に記憶されている前記保留の中から前記当り保留の有無を検出する当り保留有無検出手段と、
前記当り保留有無検出手段によって前記当り保留が検出された場合には、この当り保留に対応する前記大当り遊技が開始されるまでに新たな当り保留が発生しても、前記当り告知演出の実行を禁止する当り告知演出禁止手段と、
を備えることを特徴とする請求項１または２に記載の弾球遊技機。
【発明の詳細な説明】
【技術分野】
【０００１】
本発明は、遊技盤面に向けて遊技球を発射することによって遊技を行う弾球遊技機に関
する。
【背景技術】
【０００２】
複数の入球口が設けられた遊技盤面に遊技球を発射して、何れかの入球口に遊技球が入
球すると、賞球として所定個数の遊技球が払い出される遊技を行う弾球遊技機は、種々の
タイプの遊技機が開発されて広く使用されている。なかでも、いわゆるセブン機と称され
るタイプの弾球遊技機は、最も広く使用されている。
【０００３】
このセブン機と呼ばれるタイプの弾球遊技機では、図柄を変動表示可能な図柄表示装置
が遊技盤面上に設けられており、始動口と呼ばれる特別な入球口に遊技球が入球すると図
柄の変動表示が開始され、そして大当り図柄が停止表示されると、遊技者にとって有利な
大当り遊技が開始されるようになっている。変動表示している図柄が大当り図柄で停止表
示されるか否かは、弾球遊技機の内部に搭載されたコンピュータが乱数を用いた大当り抽
選を行うことによって決定されている。
【０００４】
また、図柄表示装置で図柄が変動表示されている間や、大当り遊技が行われている間に
も遊技球が発射されるので、遊技球が始動口に入球することもある。この場合は、一旦、
その入球が保留として蓄えられ、そして現在の変動表示が終了した後、あるいは大当り遊
技が終了した後に、保留に対応する新たな変動表示が開始される。
【０００５】
更に、セブン機と呼ばれる弾球遊技機のなかには、大当り抽選に用いる乱数値（大当り
抽選乱数）を、保留の発生時（遊技球が始動口に入球した時）に予め取得しておくタイプ
の弾球遊技機も存在する。このタイプの遊技機では、保留が発生した時点で大当り図柄が
停止表示されるか否かを判定することができるので、大当り図柄が停止表示される保留（
単に、当り保留と呼ぶ）が発生した場合には、そのことを各変動表示中の演出に反映させ
る技術も提案されている。例えば、大当り図柄が停止表示されない保留（単に、外れ保留
と呼ぶ）が既に記憶されている状態で、新たに当り保留が発生した場合には、外れ保留に
対応する図柄の変動表示中にも、通常とは異なる態様で変動表示を行うことによって、大
当りの発生を遊技者に示唆する特別な演出（予告演出）を行う技術が提案されている（特
許文献１）。
【先行技術文献】
【特許文献】
【０００６】
【特許文献１】特開２００４−１８０８７８号公報
【発明の概要】
【発明が解決しようとする課題】
【０００７】
しかし、特許文献１に記載されているような従来の特別な演出（当り保留が発生したこ
とを受けて行われる演出）は、図柄の変動表示が開始してから終了するまで（停止表示す
るまで）の間に所定の予告演出を発生させる動作（キャラクタ図柄の表示、装飾ランプの
点滅など）を、連続する複数回の変動表示の各々で行うことによって実現されるもので、
連続する複数回の変動表示に亘って一つの連続した演出（一連の演出）が行われているわ
けではない。このため、従来の特別な演出は、１回の図柄変動表示で完結する演出動作を
複数回繰り返し行っているだけに止まるもので、大当りの発生を示唆する演出としてはイ
ンパクトに欠け、現在では効果的な演出とは言い難いという問題があった。これは次のよ
うな事情によるものである。図柄表示装置で図柄が変動表示される時間は、乱数を用いた
抽選によって決定されているので、図柄の変動時間は変動毎にランダムに変化する。その
結果、連続する複数回の変動表示を行うにあたり、個々の変動時間にはバラツキが生じる
可能性があり、連続する複数回の変動表示全体としては大きな時間のバラツキが発生し得
る。このように大きなバラツキが発生し得る時間内に、一つの連続した演出を行うことは
容易なことではない。そこで、従来では、当り保留が発生したことを受けて、その当り保
留が消化されるまでの複数回の変動表示に亘って特別な演出を行う場合でも、毎回の変動
表示毎に完結する予告演出（キャラクタ図柄の表示、装飾ランプの点滅など）を発生させ
る動作を複数回の変動表示で行うことによって、変動時間のバラツキの発生に対応してい
る。もっとも、これでは、連続する複数回の変動表示で一つの連続した演出が行われてい
るのではなく、個々の変動表示で完結する演出が複数回の変動表示で行われているに過ぎ
ないので、大当りの発生を遊技者に示唆する演出としては画一的でインパクトに欠け、効
果的な演出とは言い難い。
【０００８】
この発明は、従来の技術が有する上述した課題を解決するためになされたものであり、
当り保留が発生したことを受けて、大当りの発生を従来とは異なる態様で遊技者に強く印
象付ける演出を、適切に行うことが可能な弾球遊技機を提供することを目的とする。
【課題を解決するための手段】
【０００９】
上述した課題の少なくとも一部を解決するために、請求項１は次の構成を採用した。すなわち、
始動口と、前記始動口への入球に基づいて特別図柄を変動表示可能な図柄表示装置と、開閉可能に構成された大入賞口とを有し、前記図柄表示装置にて変動表示される前記特別図柄が所定の大当り態様で停止表示されると、前記大入賞口が開放状態となる大当り遊技が開始される弾球遊技機において、
前記始動口に遊技球が入球すると、前記特別図柄を前記大当り態様で停止表示させるか
否かを決定するための乱数を取得する乱数取得手段と、
前記乱数取得手段により取得された乱数を保留として記憶する保留記憶手段と、
前記保留として記憶された乱数を前記特別図柄の変動表示の開始に際して読み出し、この読み出した乱数が、前記特別図柄を前記大当り態様で停止表示させることとなる大当りに対応する乱数であるか否かを判断する大当り判断手段と、
前記特別図柄の変動時間として、複数の変動時間のうちの何れかの変動時間を設定する変動時間設定手段と、
前記特別図柄の変動表示を開始させる図柄変動開始手段と、
前記特別図柄の変動表示が開始された後、前記変動時間設定手段が設定した変動時間が経過すると、該変動表示されている特別図柄を前記大当り判断手段による判断の結果に応じた態様で停止表示させる図柄停止手段と、
前記保留記憶手段により記憶される前記保留が前記大当りに対応する当り保留であるか否かを、前記大当り判断手段による判断が行われるのに先立って事前に判定する事前判定手段と、
前記大当り遊技が終了すると、前記変動時間設定手段が、予め定められた固定時間を変動時間に設定する特定遊技を、前記特別図柄の変動表示の実行回数が所定の規定回数に達するまで行う特定遊技実行手段と、
前記特定遊技の実行中に前記当り保留が発生すると、予め演出実行時間を設定して、この当り保留に基づく前記図柄の変動表示が少なくとも開始されるまで、前記当り保留の発生を告知する所定の当り告知演出を実行する当り告知演出実行手段と、
を備え、
前記当り告知演出実行手段は、前記特定遊技の実行中における前記乱数取得手段の乱数取得回数が、前記大当り遊技の終了時点で前記保留記憶手段に記憶されていた前記保留の個数を前記規定回数から減算した値の回数となるまで、前記当り告知演出を実行可能に構成されることを特徴とする。
請求項２は、前記特定遊技の実行中に前記当り保留が発生すると、この当り保留の他に前記保留記憶手段が記憶している保留の個数を検出する保留個数検出手段と、
前記保留個数検出手段により検出された保留の個数と前記固定時間とに基づいて、前記当り保留の発生からその当り保留に基づく前記図柄の変動表示が少なくとも開始されるまでに要する時間を設定する設定手段と、を備え、
前記当り告知演出実行手段は、前記設定手段により設定される時間にしたがって前記当り告知演出を実行することを特徴とする。
請求項３は、前記大当り遊技の終了時点で前記保留記憶手段に記憶されている前記保留の中から前記当り保留の有無を検出する当り保留有無検出手段と、
前記当り保留有無検出手段によって前記当り保留が検出された場合には、この当り保留に対応する前記大当り遊技が開始されるまでに新たな当り保留が発生しても、前記当り告知演出の実行を禁止する当り告知演出禁止手段と、
を備えることを特徴とする。
【００１０】
また、本明細書において参考的に開示される発明（以下、「参考発明」という）では、
次の構成を採用した。すなわち、
図柄を変動表示可能な図柄表示装置と、遊技球の入球が前記図柄の変動表示を開始させ
る契機となる始動口と、開閉可能に構成されて通常時は閉鎖されている大入賞口とが設け
られた遊技盤面に向かって遊技球を発射する遊技を行い、該遊技中に所定条件が成立する
と、前記大入賞口が開放状態となる大当り遊技が開始される弾球遊技機において、
前記始動口に遊技球が入球すると、前記大当り遊技を開始するか否かを決定するための
大当り抽選乱数を取得する大当り抽選乱数取得手段と、
前記始動口への入球時に前記図柄表示装置で図柄が変動表示していない場合は、該図柄
の変動表示を開始させる図柄変動開始手段と、
前記図柄表示装置で図柄の変動表示が開始される際に、該変動表示の終了後に前記大当
り遊技を開始するか否かについて決定する大当り抽選を、該変動表示の開始契機となった
前記始動口への入球時に取得された前記大当り抽選乱数に基づいて実行する大当り抽選手
段と、
前記図柄表示装置で図柄の変動表示が開始されると、該変動表示されている図柄を、該
変動表示の際に行われた前記大当り抽選の結果に応じて、所定の大当り図柄または所定の
外れ図柄で停止表示させる図柄停止手段と、
前記図柄表示装置で図柄が変動表示している間に遊技球が前記始動口に入球した場合、
あるいは前記大当り遊技中に遊技球が前記始動口に入球した場合には、該図柄の停止表示
後または該大当り遊技の終了後に新たな変動表示を開始させるべく、当該入球時に取得さ
れた前記大当り抽選乱数を保留として記憶しておく保留記憶手段と、
前記保留記憶手段によって新たに保留として記憶された前記大当り抽選乱数が前記大当
り遊技を開始することとなる当り保留であるか否かを、前記図柄表示装置での図柄の変動
開始に際して行われる前記大当り抽選に先立って事前に判定する事前判定手段と、
前記大当り抽選の結果に対応して前記図柄の停止表示後に開始された前記大当り遊技が
終了すると、前記外れ図柄で停止表示される際の図柄の変動時間が所定の外れ固定時間に
設定される特定遊技を実行する特定遊技実行手段と、
前記大当り遊技が終了した後に前記当り保留が発生すると、該当り保留の他に前記保留
記憶手段が既に記憶している保留の個数を検出するとともに、当該当り保留の発生時点か
ら、その当り保留に対応して前記図柄の変動表示が少なくとも開始されるまでに要する時
間を、該検出した保留の個数と前記外れ固定時間とに基づいて算出した後、該当り保留の
発生を告知する所定の当り告知演出を、該当り保留の発生から該算出した時間に亘って実
行する当り告知演出実行手段と
を備え、
前記特定遊技実行手段は、前記図柄表示装置で図柄の変動表示が開始される回数が所定
の規定回数に達するまで前記特定遊技を実行し、
前記当り告知演出実行手段は、前記大当り遊技の終了時点で前記保留記憶手段に記憶さ
れている前記保留の個数を既存保留数として検出するとともに、該大当り遊技の終了以降
に取得された前記大当り抽選乱数の個数が、前記規定回数から該既存保留数を減算した個
数に達するまでの間に前記当り保留が発生した場合に、前記当り告知演出を開始すること
を特徴とする。
【００１１】
上記の構成を有する参考発明の弾球遊技機においては、基本的な遊技は一般的な弾球遊
技機と同様にして進行する。すなわち、始動口に遊技球が入球すると、大当り抽選乱数が
取得されて、大当り遊技を行うか否かを決定する大当り抽選が行われるとともに、図柄表
示装置で図柄の変動表示が開始され、大当り抽選の結果に応じて、大当り図柄、または外
れ図柄の何れかで停止表示され、大当り図柄で停止表示された場合には大当り遊技が開始
される。また、図柄の変動表示中に始動口に遊技球が入球した場合には、入球時に取得さ
れた大当り抽選乱数が保留として記憶されるとともに事前判定が行われて、その保留が当
り保留であるか否かが判定される。ここで、参考発明の弾球遊技機では、大当り遊技の終
了後は、外れ図柄が停止表示される場合には、図柄表示装置での図柄の変動時間が常に所
定の外れ固定時間に設定される遊技（特定遊技）が開始され、図柄表示装置での図柄の変
動表示回数が所定の規定回数に達するまで、その状態が継続されるようになっている。ま
た、大当り遊技の終了後に発生した保留の個数が所定個数に達するまでの間は、当り保留
が発生すると、その保留に対応して図柄の変動表示が少なくとも開始されるまで継続され
るような当り告知演出が開始される。ここで、上述の所定個数とは、特定遊技の継続期間
を示す上述の規定回数から既存保留数（大当り遊技終了時に記憶されている保留の個数）
を減算した個数に設定されている。
【００１２】
参考発明の弾球遊技機では、以上のような制御を行っているために、当り保留が発生し
た時点から、その当り保留に対応する図柄の変動表示が少なくとも開始されるまで、連続
して一つの当り告知演出を行うことができる。このため、大当り発生までに外れ図柄で停
止表示される図柄変動の時間も含めて、連続した一つの演出として大当りの発生を告知す
ることができるので、十分な時間を確保して効果的な当り告知演出を行うことが可能とな
る。また、こうした効果的な当り告知演出を行うためには、外れの図柄変動時間が固定時
間（外れ固定時間）に設定されることが前提となる。しかし、外れの図柄変動時間が固定
時間に設定されるのは、大当り遊技が終了してから規定回数の図柄変動が行われるまでで
ある。従って、図柄変動回数が規定回数に近付くと、たとえ当り保留が発生しても、その
当り保留に対応する図柄変動が開始されるまでの間に、図柄変動回数が規定回数に達して
、外れの図柄変動時間が固定時間に設定されなくなってしまうことが起こり得る。このよ
うなことが発生すると、当り告知演出を行うための前提が崩れてしまうので、適切な演出
を行うことができない。しかし、上述した参考発明の弾球遊技機では、大当り遊技の終了
後に発生した保留の数が、規定回数から既存保留数を減算した個数に達するまでの期間に
限って、当り告知演出を行うこととしている。この期間内に発生した当り保留であれば、
その当り保留に対応する図柄変動が開始されるまでは、外れの図柄変動時間が常に固定時
間に保たれるので、適切に当り告知演出を行うことが可能となる。
【００１３】
また、上述した参考発明の弾球遊技機においては、次のようにしても良い。先ず、大当
り遊技の終了時点で記憶されている保留の中から、当り保留の有無を検出する。その結果
、当り保留が検出された場合には、その当り保留に対応する大当り遊技が開始されるまで
の間に新たな当り保留が発生しても、当り告知演出を開始しないようにしても良い。
大当り遊技の終了時点に当り保留が存在する場合には、たとえ大当り遊技の終了後に新
たな当り保留が発生しても、既に記憶されている当り保留が先に消化されて大当り遊技が
開始される。このため、大当り遊技後に新たな当り保留が発生したことに対応して当り告
知演出を開始しても、途中で大当り遊技が開始されて、当り告知演出を完了させることが
できない。従って、大当り遊技の終了時点で記憶されている保留の中から当り保留の有無
を検出し、当り保留が検出された場合には、たとえ新たな当り保留が発生しても当り告知
演出を行わないこととしておけば、当り告知演出が途中で中断されることを回避すること
が可能となる。
また、参考発明の弾球遊技機においては次のようにしても良い。すなわち、常に遊技球
が入球し得る固定式の第１始動口と、開放可能に構成されて開放状態の時にのみ遊技球が
入球し得る可変式の第２始動口とを設け、第１始動口への入球を契機として第１図柄の変
動表示を行う第１図柄表示装置と、第２始動口への入球を契機として第２図柄の変動表示
を行う第２図柄表示装置とを設けておく。そして、第１始動口に遊技球が入球した場合に
は第１大当り抽選乱数を取得し、第２始動口に遊技球が入球した場合には第２大当り抽選
乱数を取得する。また、第１始動口または第２始動口への入球時に第１図柄表示装置また
は第２図柄表示装置の何れかが変動表示中であった場合には、第１始動口への入球によっ
て取得された第１大当り抽選乱数であれば第１保留として記憶し、第２始動口への入球時
によって取得された第２大当り抽選乱数であれば第２保留として記憶する。また、第１図
柄表示装置および第２図柄表示装置の何れも変動表示を開始可能であった場合には、第２
図柄表示装置で変動表示を開始させる。そして、大当り遊技の終了時には、記憶されてい
る第２保留の個数を既存保留個数として検出して、当り告知演出を開始するための期間を
算出し、その期間内に第２保留の当り保留が発生した場合には、その当り保留の他に既に
記憶されている第２保留の個数を検出して、当り告知演出の時間を算出した後、算出した
時間の当り告知演出を実行することとしてもよい。
こうすれば、第１始動口および第２始動口の２つの始動口と、第１図柄表示装置および
第２図柄表示装置の２つの図柄表示装置を備え、第１図柄表示装置および第２図柄表示装
置の何れも変動表示が可能であった場合には第２図柄表示装置を優先的に変動表示させる
弾球遊技機においても、当り保留の発生を受けて適切に当り告知演出を実行することが可
能となる。
【発明の効果】
【００１４】
当り保留が発生したことを受けて、大当りの発生を従来とは異なる態様で遊技者に強く
印象付ける演出を、適切に行うことができる。
【図面の簡単な説明】
【００１５】
【図１】本実施例の遊技機の正面図である。
【図２】遊技盤の盤面構成を示す説明図である。
【図３】第１図柄表示装置および第２図柄表示装置の構成を示す説明図である。
【図４】演出表示装置の画面構成を示す説明図である。
【図５】本実施例のパチンコ機に搭載された始動口ユニットの構成を示す説明図である。
【図６】本実施例の遊技機における制御回路の構成を示したブロック図である。
【図７】普通図柄表示部の表示態様を示した説明図である。
【図８】第１特別図柄あるいは第２特別図柄が変動表示している様子を概念的に示した説明図である。
【図９】演出表示装置で行われる演出の一態様を例示した説明図である。
【図１０】主制御基板に搭載されたＣＰＵが行う遊技制御処理の大まかな流れを示したフローチャートである。
【図１１】特別図柄遊技開始判断処理の前半部分を示すフローチャートである。
【図１２】特別図柄遊技開始判断処理の後半部分を示すフローチャートである。
【図１３】特別図柄遊技処理の前半部分の流れを示したフローチャートである。
【図１４】特別図柄遊技処理の後半部分の流れを示したフローチャートである。
【図１５】第２特別図柄関連処理の流れを示したフローチャートである。
【図１６】第２大当り抽選処理の流れを示すフローチャートである。
【図１７】特別図柄の大当り抽選テーブルを例示した説明図である。
【図１８】第２特図用大当り図柄テーブルを例示した説明図である。
【図１９】第２特別図柄の変動パターン設定処理を示したフローチャートである。
【図２０】特殊変動時大当り変動パターンテーブルを示した説明図である。
【図２１】第２特図用の特殊変動時外れ変動パターンテーブルを示した説明図である。
【図２２】第１特別図柄関連処理の流れを示したフローチャートである。
【図２３】第１特図用大当り図柄テーブルを例示した説明図である。
【図２４】第１特図用の特殊変動時外れ変動パターンテーブルを示した説明図である。
【図２５】特別電動役物遊技処理の前半部分の流れを示すフローチャートである。
【図２６】特別電動役物遊技処理の後半部分の流れを示すフローチャートである。
【図２７】本実施例のパチンコ機１で行われる告知演出の概要を示した説明図である。
【図２８】大当り遊技の終了後に告知演出を行うための告知演出モードを開始する処理を示すフローチャートである。
【図２９】告知演出モード中に行われる告知演出実行処理の前半部分を示したフローチャートである。
【図３０】告知演出モード中に行われる告知演出実行処理の後半部分を示したフローチャートである。
【図３１】大当り遊技終了後の最初に発生した保留が第２保留の当り保留であった場合に、当り保留発生から保留消化までに要する時間を示した説明図である。
【図３２】大当り遊技終了後の２つめに発生した保留が第２保留の当り保留であった場合に、当り保留発生から保留消化までに要する時間を示した説明図である。
【図３３】大当り遊技終了後の３つめに発生した保留が第２保留の当り保留であった場合に、当り保留発生から保留消化までに要する時間を示した説明図である。
【図３４】大当り遊技終了後の４つめに発生した保留が第２保留の当り保留であった場合に、当り保留発生から保留消化までに要する時間を示した説明図である。
【図３５】大当り遊技終了後に初めに第２保留の外れ保留が発生して第２特図の変動表示が行われた後に３つの外れ保留が発生して最後に第２保留の当り保留が発生した場合に、当り保留発生から保留消化までに要する時間を示した説明図である。
【図３６】当り告知演出内容と各当り告知演出に対応する動画の再生時間を示した説明図である。
【図３７】第２保留の当り保留が発生してから大当り図柄が停止表示されるまでの間に、特殊変動フラグが切り換わってしまう場合を例示した説明図である。
【図３８】大当り遊技の終了後に告知演出モードが開始され、その告知演出モードが終了するまでの間に遊技が進行する様子を表した説明図である。
【発明を実施するための最良の形態】
【００１６】
以下では、上述した本願発明の内容を明確にするために、次のような順序に従って実施
例を説明する。
Ａ．パチンコ機の装置構成：
Ａ−１．装置前面側の構成：
Ａ−２．遊技盤の構成：
Ａ−３．制御回路の構成：
Ｂ．遊技の概要：
Ｃ．制御の概要：
Ｃ−１．遊技制御処理：
Ｃ−２．特別図柄遊技処理：
Ｃ−３．特別電動役物遊技処理：
Ｃ−４．告知演出処理：
Ｃ−４−１．告知演出モード開始処理：
Ｃ−４−２．告知演出実行処理：
【００１７】
Ａ．パチンコ機の装置構成  ：
Ａ−１．装置前面側の構成  ：
図１は、本実施例のパチンコ機（弾球遊技機）１の正面図である。図１に示すように、
パチンコ機１の前面部は、大きくは、前面枠４、上皿部５、下皿部６、遊技盤１０などか
ら構成されている。なお、図１では遊技盤１０の詳細な図示を省略している。前面枠４は
、図示しない中枠３に取り付けられており、中枠３は図示しない本体枠２に取り付けられ
ている。中枠３はプラスチック材料で成形されており、本体枠２の内側に取り付けられて
いる。本体枠２は、木製の板状部材を組み立てて構成された略長方形の枠体であり、パチ
ンコ機１の外枠を形成している。前面枠４の一端は、中枠３に対して回動可能に軸支され
ており、中枠３の一端は本体枠２に対して回動可能に軸支されている。遊技盤１０は、中
枠３の前面側に着脱可能に取り付けられており、その前面側が前面枠４で覆われている。
【００１８】
前面枠４は、プラスチック材料で成形されており、略中央部には、円形状の開放部４ａ
が形成されている。この開放部４ａにはガラス板等の透明板が嵌め込まれており、奥側に
配置される遊技盤１０の盤面が視認可能となっている。また、前面枠４には、遊技効果を
高めるための各種ランプ類４ｂ〜４ｆが設けられている。前面枠４の下方には、上皿部５
が設けられており、上皿部５の下方には下皿部６が設けられている。また、前面枠４の右
側には施錠装置９が設けられており、前面枠４の左側にはプリペイドカード式の球貸装置
１３（ＣＲユニット）が設けられている。
【００１９】
上皿部５には、皿状の凹部と、凹部を取り巻くように形成された皿外縁部５ａとが設け
られている。遊技球は、上皿部５に形成された凹部に投入されて、発射装置ユニット１２
（図６参照）に供給される。また、皿外縁部５ａには、遊技球の球貸スイッチ５ｂ、返却
スイッチ５ｃ、投入した遊技球を排出するための排出ボタンなど、各種のボタン類が設け
られている。上皿部５の略中央部には複数の長孔とその上部に多数の小穴が形成された第
１スピーカ５ｙが設けられている。また、上皿５の前面側には、２つの操作スイッチＳＷ
１，ＳＷ２が設けられている。遊技者は、これらの操作スイッチＳＷ１，ＳＷ２を押すこ
とによって、遊技の演出に登場するキャラクタや遊技条件を選択するなど、遊技の進行に
介入することが可能となっている。
【００２０】
下皿部６には、パチンコ機１の内部から遊技球を排出するための排出口６ａが設けられ
ており、排出された遊技球は下皿部６内に貯留される。また、下皿部６の下面の左右には
、第２スピーカ６ｃが設けられ、下皿部６の右端には発射ハンドル８が設けられている。
発射ハンドル８には遊技者がハンドルに触れていることを検出するタッチスイッチ８ａが
設けられている。発射ハンドル８の回転軸は、下皿部６の奥側に搭載された図示しない発
射装置ユニット１２に接続されており、遊技者が発射ハンドル８を回転させると、その動
きが発射装置ユニット１２に伝達され、ユニットに内蔵された図示しない発射モータが回
転して、回転角度に応じた強さで遊技球が発射される。発射ハンドル８の左側面には、遊
技者が操作して遊技球の発射を一時的に停止する発射停止スイッチ８ｂが配置されている
。
【００２１】
Ａ−２．遊技盤の構成  ：
図２は、遊技盤１０の盤面構成を示す説明図である。前述したように、遊技盤１０は中
枠３の前面側に着脱可能に取り付けられている。図２に示すように、遊技盤１０の中央に
は、外レール１４と内レール１５とによって囲まれた略円形状の遊技領域１１が形成され
ている。
【００２２】
遊技領域１１の略中央には中央装置２６が設けられており、また、遊技領域１１の下方
部分には変動入賞装置１８が設けられ、そして、中央装置２６と変動入賞装置１８との間
には始動口ユニット１７が設けられている。後述するように始動口ユニット１７は、２つ
の始動口が上下に組み合わせて構成されており、上側に設けられた第１始動口１７ａは、
固定式の入球口であり、下側に設けられた第２始動口１７ｂは、左右に一対の翼片部が開
閉可能に構成されたいわゆるチューリップ式の入球口となっている。始動口ユニット１７
の詳細な構成については、別図を用いて後述する。
【００２３】
中央装置２６のほぼ中央には、演出表示装置２７が設けられている。演出表示装置２７
は、液晶画面を搭載しており、識別図柄や背景図柄などの種々の演出用図柄を変動停止表
示することが可能となっている。演出表示装置２７の画面上で表示される各種図柄につい
ては後述する。
【００２４】
演出表示装置２７の左斜め下方には第１図柄表示装置２８が設けられ、演出表示装置２
７の右斜め下方には第２図柄表示装置３２が設けられている。このうち、演出表示装置２
７の左下方に設けられた第１図柄表示装置２８では、普通図柄や第１特別図柄を変動停止
表示することが可能となっており、演出表示装置２７の右下方に設けられた第２図柄表示
装置３２では、第２特別図柄を変動表示することが可能となっている。第１図柄表示装置
２８や、第２図柄表示装置３２の詳細な構成については後述する。
【００２５】
遊技領域１１の左側には、普通図柄作動ゲート３６およびランプ風車２４が設けられて
おり、普通図柄作動ゲート３６の内部には、遊技球の通過を検出するゲートスイッチ３６
ｓが設けられている。更に、これら各遊技装置の間および周辺には、多数の障害釘２３が
設けられている。
【００２６】
中央装置２６の下方には大入賞装置３１が設けられている。この大入賞装置３１は、略
長方形状に大きく開放する大入賞口３１ｄや、大入賞口３１ｄを開閉するための開閉扉３
１ｅ、開閉扉３１ｅを作動させるための大入賞口ソレノイド３１ｍ（図６参照）などから
構成されている。後述する所定の条件が成立して開閉扉３１ｅが開動作することで、大入
賞口３１ｄは開放状態となり、この結果、遊技球が高い確率で大入賞口３１ｄに入球する
こととなって、遊技者にとって有利な遊技状態である大当り遊技状態が開始される。また
、大入賞口３１ｄの内部には、大入賞口スイッチ３１ｓが設けられており、大入賞口３１
ｄに入賞した遊技球を検出することが可能となっている。
【００２７】
遊技盤１０の下方にはアウト口４８が設けられ、そのアウト口４８の下部にはバック球
防止部材５８が設けられている。バック球防止部材５８は、遊技領域１１に到達せず戻っ
てきた遊技球が再び発射位置に戻ることを防止する機能を有している。
【００２８】
図３は、本実施例のパチンコ機１に搭載された第１図柄表示装置２８および第２図柄表
示装置３２の構成を示す説明図である。図３（ａ）は第１図柄表示装置２８を表しており
、図３（ｂ）は第２図柄表示装置３２を表している。初めに第１図柄表示装置２８の構成
について説明する。図３（ａ）示されているように、本実施例の第１図柄表示装置２８は
、略矩形の領域内に１２個の小さな発光ダイオード（ＬＥＤ）が組み込まれて構成されて
いる。これら１２個のＬＥＤのうちの、３個のＬＥＤは普通図柄表示部２９を構成してお
り、残りの９個のＬＥＤは第１特別図柄表示部３０を構成している。更に、普通図柄表示
部２９は、普通図柄を表示するための１個のＬＥＤ（以下、普通図柄ＬＥＤ２９ａと呼ぶ
）と、普通図柄の保留数を表示するための２個のＬＥＤ（以下、普図保留表示ＬＥＤ２９
ｂと呼ぶ）とから構成されている。また、第１特別図柄表示部３０は、第１特別図柄（第
１特図）を表示するための７個のＬＥＤ（以下、第１特別図柄ＬＥＤ３０ａと呼ぶ）と、
第１特別図柄の保留数（以下、第１保留数と呼ぶ）を表示するための２個のＬＥＤ（以下
、第１特図保留表示ＬＥＤ３０ｂと呼ぶ）とから構成されている。本実施例の第１図柄表
示装置２８が、これら１２個のＬＥＤを用いて、普通図柄や、第１特別図柄（第１特図）
、更にはこれらの第１保留数を表示する様子については後述する。図３（ｂ）に示した第
２図柄表示装置３２は、上述した第１図柄表示装置２８に対して普通図柄表示部２９を取
り除いた構成となっている。すなわち、第２図柄表示装置３２には、９個のＬＥＤから構
成される第２特別図柄表示部３３が設けられており、そのほぼ中央に設けられた７個のＬ
ＥＤは、第２特別図柄（第２特図）を表示するためのＬＥＤ（以下、第２特別図柄ＬＥＤ
３３ａと呼ぶ）であり、残りの２個のＬＥＤは、第２特別図柄の保留数（以下、第２保留
数と呼ぶ）を表示するためのＬＥＤ（以下、第２特図保留表示ＬＥＤ３３ｂと呼ぶ）とな
っている。このような第２図柄表示装置３２の表示内容についても後述する。
【００２９】
図４は、本実施例のパチンコ機１に搭載された演出表示装置２７の画面構成を示す説明
図である。前述したように、演出表示装置２７は、主に液晶表示画面を用いて構成されて
おり、液晶画面上には、３つの識別図柄２７ａ，２７ｂ，２７ｃと、その背景の背景図柄
２７ｄが表示されている。このうち、３つの識別図柄２７ａ，２７ｂ，２７ｃは、図３に
示した第１特別図柄表示部３０あるいは第２特別図柄表示部３３で第１特別図柄あるいは
第２特別図柄が変動表示されることに合わせて種々の態様で変動表示され、遊技を演出す
ることが可能となっている。
【００３０】
図５は、本実施例のパチンコ機１に搭載された始動口ユニット１７の構成を示す説明図
である。前述したように始動口ユニット１７には、第１始動口１７ａと、第２始動口１７
ｂとが設けられており、上側に設けられた第１始動口１７ａは固定式（ポケット式）の入
球口であり、下側に設けられた第２始動口１７ｂは、一対の翼片１７ｗを備えた開閉式（
チューリップ式）の入球口となっている。この一対の翼片１７ｗは、ほぼ直立した通常状
態（図５（ａ）参照）と、外側に向かって回転した開放状態（図５（ｂ）参照）との２つ
の状態を取ることが可能である。図５（ａ）に示したように、翼片１７ｗがほぼ直立した
通常状態では、遊技球は第２始動口１７ｂに入球することができず、専ら第１始動口１７
ａに入球するだけであるが、一対の翼片１７ｗが外側に開いた開放状態となると、第２始
動口１７ｂにも遊技球が入球し得る状態となる。そして、図５（ｂ）に示されるように、
開放状態では、第１始動口１７ａよりも第２始動口１７ｂの方が、遊技球が入球し易くな
っている。また、第１始動口１７ａあるいは第２始動口１７ｂに入球した遊技球は、それ
ぞれの内部に設けられた通路を通って遊技盤１０の裏面側に導かれる。第１始動口１７ａ
の内部の通路の途中には第１始動口スイッチ１７ｓが設けられ、第２始動口１７ｂの内部
の通路の途中には第２始動口スイッチ１７ｔが設けられており、第１始動口１７ａに入球
した遊技球は第１始動口スイッチ１７ｓによって検出され、第２始動口１７ｂに入球した
遊技球は第２始動口スイッチ１７ｔによって検出されるようになっている。
【００３１】
Ａ−３．制御回路の構成  ：
次に、本実施例のパチンコ機１における制御回路の構成について説明する。図６は、本
実施例のパチンコ機１における制御回路の構成を示したブロック図である。図示されてい
るようにパチンコ機１の制御回路は、多くの制御基板や、各種基板、中継端子板などから
構成されているが、その機能に着目すると、遊技の基本的な進行や賞球に関わる当否につ
いての制御を司る主制御基板２００と、演出用図柄やランプや効果音を用いた遊技の演出
の制御を司るサブ制御基板２２０と、サブ制御基板２２０の制御の下で演出表示装置２７
の具体的な制御を行う演出制御基板２３０と、貸球や賞球を払い出す動作の制御を司る払
出制御基板２４０と、遊技球の発射に関する制御を司る発射制御基板２６０などから構成
されている。これら制御基板は、各種論理演算および算出演算を実行するＣＰＵや、ＣＰ
Ｕで実行される各種プログラムやデータが記憶されているＲＯＭ、プログラムの実行に際
してＣＰＵが一時的なデータを記憶するＲＡＭなど、種々の周辺ＬＳＩがバスで相互に接
続されて構成されている。また、図６中に示した矢印の向きは、データあるいは信号を入
出力する方向を表している。尚、図６では、主制御基板２００に搭載されたＣＰＵ２０１
やＲＯＭ２０２、ＲＡＭ２０３、およびサブ制御基板２２０に搭載されたＣＰＵ２２１、
ＲＡＭ２２３のみが図示されている。
【００３２】
図示されているように主制御基板２００は、第１始動口スイッチ１７ｓや、第２始動口
スイッチ１７ｔ、大入賞口スイッチ３１ｓ、ゲートスイッチ３６ｓなどから遊技球の検出
信号を受け取って、遊技の基本的な進行や賞球に関わる当否を決定した後、サブ制御基板
２２０や、払出制御基板２４０、発射制御基板２６０などに向かって、各種の動作を指令
するコマンドを出力する。また、主制御基板２００には、第２始動口１７ｂに設けられた
一対の翼片部を開閉させるための始動口ソレノイド１７ｍや、大入賞口３１ｄを開閉させ
るための大入賞口ソレノイド３１ｍ、更には、第１図柄表示装置２８や第２図柄表示装置
３２などが中継端子板を介して接続されており、これら各種ソレノイド１７ｍ，３１ｍ、
第１図柄表示装置２８、および第２図柄表示装置３２に向かって信号を出力することによ
り、これらの動作の制御も行っている。
【００３３】
サブ制御基板２２０は、主制御基板２００からの各種コマンドを受け取ると、コマンド
の内容を解析して、その結果に応じた遊技の演出を行う。すなわち、前述した演出表示装
置２７の表示制御を行う演出制御基板２３０に対して表示内容を指定するコマンドを出力
したり、各種のスピーカ５ｙ、６ｃを駆動するアンプ基板２２４、装飾用の各種ＬＥＤや
ランプを駆動する装飾駆動基板２２６に駆動信号を出力したりすることにより、遊技の演
出を制御する。
【００３４】
払出制御基板２４０は、いわゆる貸球や賞球の払い出しに関する各種の制御を司ってい
る。例えば、遊技者が前述した上皿部５に設けられた球貸スイッチ５ｂや返却スイッチ５
ｃを操作すると、この信号は、球貸表示基板２４２から中継端子板を介して、球貸装置１
３に伝達される。球貸装置１３は、払出制御基板２４０とデータをやり取りしながら、貸
球の払い出しを行う。また、主制御基板２００が賞球の払出コマンドを出力すると、この
コマンドを払出制御基板２４０が受け取って、払出モータ１０９ｍに駆動信号を出力する
ことによって賞球の払い出しが行われる。
【００３５】
Ｂ．遊技の概要  ：
次に、上述した構成を有する本実施例のパチンコ機１で行われる遊技の概要について簡
単に説明しておく。
【００３６】
本実施例のパチンコ機１では、次のようにして遊技が行われる。先ず、遊技者が上皿部
５の凹部に遊技球を投入して発射ハンドル８を回転させると、上皿部５に投入された遊技
球が、１球ずつ発射装置ユニット１２に供給されて、図２を用いて前述した遊技領域１１
に発射される。遊技球を打ち出す強さは、発射ハンドル８の回転角度によって調整するこ
とが可能となっており、遊技者は発射ハンドル８の回転角度を変化させることによって、
遊技球の狙いを付けることができる。発射した遊技球が、遊技領域１１の左側に設けられ
た普通図柄作動ゲート３６を通過すると、演出表示装置２７の左下方に設けられた第１図
柄表示装置２８において普通図柄の変動表示が開始される。図３（ａ）を用いて前述した
ように、図柄表示装置２８には普通図柄表示部２９が設けられており、普通図柄表示部２
９には、普通図柄ＬＥＤ２９ａおよび普図保留表示ＬＥＤ２９ｂが搭載されている。この
うち、普通図柄ＬＥＤ２９ａを用いて普通図柄の変動表示を行う。
【００３７】
図７（ａ）は、普通図柄が変動表示している様子を概念的に示した説明図である。本実
施例のパチンコ機１では、普通図柄ＬＥＤ２９ａの点滅を繰り返すことによって、普通図
柄の変動表示を行う。図では、普通図柄ＬＥＤ２９ａが点灯している状態を放射状の実線
で表し、消灯している状態を破線で表している。そして、予め定められた時間だけ点滅を
繰り返した後、普通図柄ＬＥＤ２９ａが点灯状態で停止した場合には、普通図柄の当りと
なって、第２始動口１７ｂが所定時間だけ開放状態となる。逆に、消灯状態で停止した場
合には普通図柄の外れとなって、第２始動口１７ｂが開放することはない。
【００３８】
また、普通図柄の変動表示中に遊技球が普通図柄作動ゲート３６を通過した場合は、こ
の遊技球の通過が保留数として蓄えられて、現在の普通図柄の変動表示の終了後に、変動
表示が行われる。普通図柄の保留は最大４個まで蓄えることが可能となっており、蓄えら
れている普通図柄の保留数は、普図保留表示ＬＥＤ２９ｂによって表示される。
【００３９】
図７（ｂ）は、第１図柄表示装置２８に設けられた普図保留表示ＬＥＤ２９ｂによって
普通図柄の保留数が表示される様子を示した説明図である。普通図柄の保留が無い場合（
すなわち、保留が０個の場合）は、２個の普図保留表示ＬＥＤ２９ｂは何れも消灯してい
る。保留が１個の場合は、向かって左側の普図保留表示ＬＥＤ２９ｂは消灯したままで、
右側の普図保留表示ＬＥＤ２９ｂが点灯する。保留が２個になると、今度は、右側の普図
保留表示ＬＥＤ２９ｂに加えて左側の普図保留表示ＬＥＤ２９ｂが点灯する。次いで、保
留が３個になると、右側の普図保留表示ＬＥＤ２９ｂが点滅し、左側の普図保留表示ＬＥ
Ｄ２９ｂが点灯する。更に保留が増加して上限値である４個になると、左右の普図保留表
示ＬＥＤ２９ｂが点滅した状態となる。このように普通図柄表示部２９では、２個の普図
保留表示ＬＥＤ２９ｂを点灯、消灯、あるいは点滅させることによって、０個から４個ま
での保留数を表示することが可能となっている。
【００４０】
また、図３（ａ）を用いて前述したように、第１図柄表示装置２８には、第１特別図柄
表示部３０が設けられており、第１特別図柄を変動表示可能となっている。更に、図３（
ｂ）に示したように、第２図柄表示装置３２に設けられた第２特別図柄表示部３３では、
第２特別図柄を変動表示可能となっている。このうち、第１特別図柄は第１始動口１７ａ
に対応し、第２特別図柄は第２始動口１７ｂに対応しており、第１特別図柄あるいは第２
特別図柄は、それぞれ対応する始動口に遊技球が入球すると変動表示を開始するようにな
っている。尚、前述したように、第２始動口１７ｂが開放していない状態（通常状態）で
は、遊技球は第２始動口１７ｂに入球しないので、第２始動口１７ｂが閉鎖した状態では
、遊技球はもっぱら第１始動口１７ａに入球して第１特別図柄が変動表示を行い、逆に、
第２始動口１７ｂが開放状態になると、遊技球は第１始動口１７ａよりも第２始動口１７
ｂに入球し易くなるので、主に第２特別図柄が変動表示するようになる。また、前述した
ように第１特別図柄表示部３０および第２特別図柄表示部３３は、何れも同様な構成をし
ており、従って、第１特別図柄も第２特別図柄も同様な態様で変動表示を行う。
【００４１】
図８は、第１特別図柄あるいは第２特別図柄の停止表示態様を概念的に示した説明図で
ある。尚、第１特別図柄も第２特別図柄も変動態様および停止表示態様は同様であるため
、ここでは両者を区別することなく、単に、特別図柄と称するものとする。図３を用いて
前述したように、第１特別図柄表示部３０および第２特別図柄表示部３３の何れも７個の
ＬＥＤによって構成されており、これらを点灯させることによって特別図柄を表示する。
図８に示されているように、本実施例のパチンコ機１では、８通りの特別図柄の停止表示
態様が設けられており、それぞれの停止表示態様に固有の点灯状態が設定されている。図
示されるように、本実施例のパチンコ機１では、８種類の特別図柄の停止表示態様は大き
く４つの図柄に分類されている。先ず、図中の最上段に示した２つの特別図柄の停止表示
態様は「通常大当り図柄」に相当するもので、上から２段目に示した２つの特別図柄の停
止表示態様は「確変大当り図柄」に相当する。また、上から３段目に示した２つの特別図
柄の停止表示態様は「２ラウンド（２Ｒ）確変大当り図柄」に相当し、最下段に示した２
つの特別図柄の停止表示態様は「外れ図柄」に相当する。第１特別図柄表示部３０および
第２特別図柄表示部３３では、それぞれ７個のＬＥＤ（第１特別図柄ＬＥＤ３０ａおよび
第２特別図柄ＬＥＤ３３ａ）を所定時間にわたって点滅させることによって特別図柄の変
動表示を行い、所定時間が経過すると、いずれかの停止表示態様に従って停止表示される
。そして、「通常大当り図柄」、「確変大当り図柄」または「２Ｒ確変大当り図柄」の何
れかの図柄（いわゆる大当り図柄）が停止表示されると、大入賞口３１ｄが開放状態とな
る大当り遊技が開始される。本実施例の大当り遊技は、大入賞口３１ｄが開放状態となる
ラウンド遊技が、複数回繰り返されるように構成されている。
【００４２】
このうち、「通常大当り図柄」または「確変大当り図柄」に基づいて行われる大当り遊
技では、遊技球が入球し易い態様で大入賞口３１ｄが開放するため、遊技者にとって多く
の遊技球を獲得可能な大変に有利な遊技状態となる。これに対して「２Ｒ確変大当り図柄
」に基づいて行われる大当り遊技では、大入賞口３１ｄが開放するものの、その開放態様
は遊技球が入球し難い態様で、極短時間だけしか開放しない。このため、遊技球もほとん
ど場合が獲得することができず、遊技者が気付かないまま、大当り遊技が終了してしまう
ことも起こり得る。
【００４３】
また、変動表示していた特別図柄が、図８の上から２段目または３段目に示した確変大
当り図柄または２Ｒ確変大当り図柄の何れかで停止表示した場合には、所定の条件が成立
するまで（例えば、次の大当り遊技が発生するまで、あるいは特別図柄の変動表示が所定
回数行われるまで）、特別図柄が当り図柄で停止表示する確率が高確率に設定された状態
（いわゆる、確率変動状態、あるいは単に確変状態と呼ばれることもある）となる。
【００４４】
尚、第１始動口１７ａあるいは第２始動口１７ｂに遊技球が入球したにも拘わらず、直
ちには対応する特別図柄での変動表示を開始できない場合（例えば、何れかの特別図柄が
変動表示中であった場合、あるいは大当り遊技中であった場合など）には、第１始動口１
７ａへの入球は第１特別図柄の保留（第１保留）として、第２始動口１７ｂへの入球は第
２特別図柄の保留（第２保留）として蓄えられる。そして、第１保留については第１特図
保留表示ＬＥＤ３０ｂによって表示され、第２保留については第２特図保留表示ＬＥＤ３
３ｂによって表示されるようになっている。第１特図保留表示ＬＥＤ３０ｂあるいは第２
特図保留表示ＬＥＤ３３ｂを用いて特別図柄の保留数を表示する態様は、図７（ａ）に示
した普図保留表示ＬＥＤ２９ｂの場合と全く同様であるため、ここでは説明は省略する。
【００４５】
尚、本実施例においては、第１始動口１７ａに対応して変動表示を行う第１特別図柄（
第１特図）が、本発明における「第１図柄」に対応し、第２始動口１７ｂに対応して変動
表示を行う第２特別図柄（第２特図）が、本発明における「第２図柄」に対応している。
【００４６】
上述した第１特別図柄あるいは第２特別図柄の変動表示および停止表示に合わせて、演
出表示装置２７では演出用図柄を用いた各種の演出が行われる。図９は、演出表示装置２
７で行われる演出の一態様を例示した説明図である。図４を用いて前述したように、演出
表示装置２７を構成する液晶表示画面には、３つの識別図柄２７ａ，２７ｂ，２７ｃが表
示されている。前述した第１特別図柄ＬＥＤ３０ａあるいは第２特別図柄ＬＥＤ３３ａの
何れかで特別図柄の変動表示が開始されると、演出表示装置２７においても、これら３つ
の識別図柄２７ａ，２７ｂ，２７ｃが一斉に変動表示を開始する。本実施例では、識別図
柄として「１」〜「９」までの９つの数字を意匠化した図柄が用意されている。
【００４７】
図９（ａ）には、３つの識別図柄２７ａ，２７ｂ，２７ｃが一斉に変動表示している様
子が概念的に示されている。変動表示が開始された後、所定時間が経過すると、初めに左
識別図柄２７ａが「１」〜「９」のいずれかの図柄で停止表示され、次いで、右識別図柄
２７ｃが停止表示され、最後に中識別図柄２７ｂが停止表示される。これら演出表示装置
２７で停止表示される３つの識別図柄２７ａ，２７ｂ，２７ｃの組合せは、前述した第１
特別図柄ＬＥＤ３０ａあるいは第２特別図柄ＬＥＤ３３ａで停止表示される特別図柄（第
１特図あるいは第２特図）の停止表示態様と連動するように構成されている。たとえば、
第１特図あるいは第２特図が大当り図柄で停止する場合は、演出表示装置２７の３つの識
別図柄２７ａ，２７ｂ，２７ｃが同じ図柄で停止表示される。特に、第１特図あるいは第
２特図が、前述した確変大当り図柄で停止する場合は、演出表示装置２７の３つの識別図
柄２７ａ，２７ｂ，２７ｃが、奇数を表す同じ図柄で停止表示される。また、第１特図あ
るいは第２特図が２Ｒ確変大当り図柄で停止する場合は、３つの識別図柄２７ａ，２７ｂ
，２７ｃは同じ図柄で揃わない所定の組合せで停止表示される。更に、第１特図あるいは
第２特図が外れ図柄で停止する場合は、３つの識別図柄２７ａ，２７ｂ，２７ｃは同じ図
柄で揃わない組合せの中から、２Ｒ確変大当り図柄の組合せを除いた任意の組合せで停止
表示される。
【００４８】
このように、第１特別図柄ＬＥＤ３０ａあるいは第２特別図柄ＬＥＤ３３ａで表示され
る特別図柄と、演出表示装置２７で表示される３つの識別図柄２７ａ，２７ｂ，２７ｃと
は表示内容が互いに対応しており、変動中の第１特図あるいは第２特図が停止表示すると
、３つの識別図柄２７ａ，２７ｂ，２７ｃも停止表示するようになっている。しかも、図
２に示すように、演出表示装置２７は、第１特別図柄ＬＥＤ３０ａや第２特別図柄ＬＥＤ
３３ａよりも目に付き易い位置に設けられており、表示画面も大きく、表示内容も分かり
易いので、遊技者は演出表示装置２７の画面を見ながら遊技を行うことが通常である。従
って、演出表示装置２７の表示画面上で初めに停止表示される左識別図柄２７ａと、続い
て停止表示される右識別図柄２７ｃとが同じ図柄であった場合には、最後に停止表示され
る中識別図柄２７ｂも同じ図柄で停止して、いわゆる大当り図柄で停止表示されるのでは
ないかと、遊技者は図柄の変動を注視することになる。このように、２つの識別図柄を同
じ図柄で停止した状態で、最後の図柄を変動表示させる演出は、リーチ演出と呼ばれてお
り、リーチ演出を行うことで遊技者の興趣を高めることが可能となっている。
【００４９】
Ｃ．遊技機の制御内容  ：
以下では、上述した遊技を実現するために、本実施例のパチンコ機１が行っている制御
内容について詳しく説明する。
【００５０】
Ｃ−１．遊技制御処理  ：
図１０は、主制御基板２００に搭載されたＣＰＵ２０１が、遊技の進行を制御するため
に行う遊技制御処理の大まかな流れを示したフローチャートである。図示されているよう
に、遊技制御処理では、賞球関連処理、普通図柄遊技処理、第２始動口復帰処理、特別図
柄遊技処理、特別電動役物遊技処理などの各処理が繰り返し実行されている。一周の処理
に要する時間は、ほぼ４ｍｓｅｃとなっており、従ってこれら各種の処理は約４ｍｓｅｃ
毎に繰り返し実行されることになる。そして、これら各処理中で、サブ制御基板２２０を
初めとする各種制御基板に向けて、主制御基板２００から各種コマンドを送信する。こう
することにより、パチンコ機１全体の遊技が進行するとともに、サブ制御基板２２０では
、遊技の進行に合わせた演出の制御が行われることになる。以下、フローチャートに従っ
て、主制御基板２００に搭載されたＣＰＵ２０１が行う遊技制御処理について説明する。
【００５１】
主制御基板２００に搭載されたＣＰＵ２０１は、遊技制御処理を開始すると、遊技球を
賞球として払い出すための処理（賞球関連処理）を行う（Ｓ５０）。この処理では、主制
御基板２００に接続された各種スイッチの中で、遊技球の入賞に関わるスイッチ（第１始
動口スイッチ１７ｓや、第２始動口スイッチ１７ｔ、大入賞口スイッチ３１ｓなど）につ
いて遊技球が入球したか否かを検出する。そして、遊技球の入球が検出された場合には、
払い出すべき賞球数を算出した後、払出制御基板２４０に向かって賞球数指定コマンドを
出力する処理を行う。払出制御基板２４０は、主制御基板２００から出力された賞球数指
定コマンドを受け取るとコマンドの内容を解釈し、その結果に従って、払出装置（図示せ
ず）に搭載された払出モータ１０９ｍに駆動信号を出力することにより、実際に賞球を払
い出す処理を行う。
【００５２】
主制御基板２００のＣＰＵ２０１は、賞球に関連する処理を行うと（Ｓ５０）、今度は
、普通図柄遊技処理を行うか否か、すなわち普通図柄の変動停止表示を行うか否かを判断
する（Ｓ１００）。かかる判断は、第２始動口１７ｂが開放中であるか否かを検出するこ
とによって行う。第２始動口１７ｂが開放中でなければ普通図柄遊技処理を行うものと判
断し（Ｓ１００：ｙｅｓ）、第２始動口１７ｂが開放中であれば普通図柄遊技処理は行わ
ないものと判断する（Ｓ１００：ｎｏ）。そして、普通図柄遊技処理を行うと判断された
場合は（Ｓ１００：ｙｅｓ）、普通図柄遊技処理を開始する（Ｓ１５０）。
【００５３】
普通図柄遊技処理（Ｓ１５０）では、主に次のような処理を行う。先ず、普通図柄の保
留数が存在するか否か（「０」であるか否か）を判定し、保留数が存在する場合には普通
図柄の当否判定（普通図柄抽選）を行う。ここで、普通図柄の保留数は遊技球が普通図柄
作動ゲート３６を通過することにより設定されるものであり、本実施例では、その保留数
の上限値を「４」としている。そして、普通図柄の当否判定（普通図柄抽選）の結果が当
り判定（当選）の場合には、停止表示する普通図柄を当り図柄に決定し、外れ判定（落選
）の場合には、停止表示する普通図柄を外れ図柄に決定する（図７（ａ）参照）。次いで
、普通図柄の変動表示時間を設定した後、普通図柄の変動表示を開始する。そして、変動
表示時間が経過すると、決定しておいた図柄で普通図柄を停止表示させ、このとき、普通
図柄の当り図柄が停止表示された場合には、第２始動口１７ｂを開放させる。
【００５４】
以上のようにして普通図柄遊技処理を終了したら、第２始動口１７ｂが開放中か否かを
判断する（Ｓ１９０）。そして、開放中である場合は（Ｓ１９０：ｙｅｓ）、開放してい
る第２始動口１７ｂを通常状態に復帰させるための処理（第２始動口復帰処理）を行う（
Ｓ２００）。一方、第２始動口１７ｂが開放していない場合は（Ｓ１９０：ｎｏ）、第２
始動口復帰処理を行う必要はないのでスキップする。
【００５５】
第２始動口復帰処理（Ｓ２００）では、次の何れかの条件が満足された場合、すなわち
、第２始動口１７ｂの開放時間が経過したか、若しくは、第２始動口１７ｂに規定数の遊
技球が入球したかの何れかの条件が成立した場合に、開放状態の第２始動口１７ｂを通常
状態に復帰させる処理を行う。尚、第２始動口１７ｂの開放時間は、通常の遊技状態では
約０．５秒間（通常時間）に設定されているが、後述する開放延長フラグがＯＮに設定さ
れて、開放延長機能が作動すると約５秒間（延長時間）に延長される。この場合、第２始
動口１７ｂの開放回数が１回の場合には１回の開放時間が約５秒間となるように開放時間
が設定され、開放回数が複数回の場合には複数回の開放時間の合計が約５秒間となるよう
に設定される。一方、第２始動口１７ｂの開放時間が経過しておらず、第２始動口１７ｂ
への入球数も規定数に達していない場合は、第２始動口１７ｂを開放状態としたまま、第
２始動口復帰処理（Ｓ２００）を終了する。
【００５６】
遊技制御処理では、第２始動口復帰処理から復帰すると、特別図柄に関連する処理を開
始する。この処理では、後述する特別図柄遊技処理を行うための所定の条件を満足してい
るか否かを判断した後、所定の条件を満足していた場合には、特別図柄遊技処理を開始す
る。
【００５７】
図１１は、特別図柄遊技処理を開始するか否かを判断するために行う処理（特別図柄遊
技開始判断処理）の前半部分を示すフローチャートである。また、図１２は、特別図柄遊
技開始判断処理の後半部分を示すフローチャートである。特別図柄遊技処理（Ｓ２５０）
を開始するか否かの判断に当たっては、先ず初めに、第１始動口１７ａに遊技球が入球し
たか否かを判断する（Ｓ２５２）。前述したように、第１始動口１７ａの内部には、遊技
球の入球を検出する第１始動口スイッチ１７ｓが設けられており、遊技球が入球したこと
を検出することができる。
【００５８】
遊技球が第１始動口１７ａに入球していた場合は（Ｓ２５２：ｙｅｓ）、第１特別図柄
（第１特図）の保留数が上限値（本実施例では「４」）に達しているか否かを判断する（
Ｓ２５４）。図３（ａ）を用いて前述したように第１保留数は、第１特別図柄表示部３０
で第１特図保留表示ＬＥＤ３０ｂが点灯することによって表示されている。そして、第１
特別図柄の保留数が上限値「４」に達していなければ（Ｓ２５４：ｎｏ）、第１特別図柄
用の大当り抽選乱数（第１大当り抽選乱数）、第１特別図柄用の図柄決定乱数（第１図柄
決定乱数）を取得して、主制御基板２００のＲＡＭ２０３に記憶する。ここで、第１大当
り抽選乱数は、図３（ａ）に示した第１特別図柄ＬＥＤ３０ａに表示された第１特図によ
る大当り抽選を行うために用いられる乱数である。また、第１図柄決定乱数は、第１特図
の大当り抽選結果に応じて、第１特別図柄ＬＥＤ３０ａに停止表示させる第１特図を決定
するための乱数である。こうして第１特図用の各種乱数を取得したら（Ｓ２５６）、取得
した各種乱数を第１特図の保留（第１保留）としてＲＡＭ２０３に記憶した後（Ｓ２５８
）、第１特図の保留数に「１」を加算する（Ｓ２６０）。
【００５９】
次に、大当りフラグがＯＮに設定されているか否かを判断する（Ｓ２６２）。後述する
ように大当りフラグとは、大当り遊技が開始される際にＯＮに設定されるフラグである。
大当りフラグは主制御基板２００に搭載されたＲＡＭ２０３の所定アドレスが割り当てら
れており、そのアドレスに設定されている値を参照することによって、大当りフラグがＯ
Ｎに設定されているか否かを判断することができる。
【００６０】
その結果、大当りフラグがＯＮに設定されておらず、大当り遊技中ではないと判断され
た場合は（Ｓ２６２：ｎｏ）、今度は、開放延長フラグがＯＮに設定されているか否かを
判断する（Ｓ２６４）。後述するように開放延長フラグとは、第２始動口１７ｂの開放時
間が延長されている時にＯＮに設定されるフラグである。開放延長フラグも、主制御基板
２００に搭載されたＲＡＭ２０３の所定アドレスが割り当てられており、そのアドレスに
設定されている値を参照することによって、開放延長フラグがＯＮに設定されているか否
かを判断することができる。
【００６１】
そして、開放延長フラグがＯＮに設定されていないと判断された場合は（Ｓ２６４：ｎ
ｏ）、第１保留が当り保留に該当するか否かを判断する（Ｓ２６６）。この判断は、第１
保留として記憶された第１大当り抽選乱数が、後述する大当り抽選において大当りと判定
される当り値に該当するか否かを判断することによって行う。従って、本実施例のパチン
コ機１では、第１保留が記憶されると、その第１保留に対応して行われる大当り抽選の結
果が大当りとなるか否かが、大当り抽選に先立って事前に判定されることになる。以上の
ようにして、第１保留についての事前判定を行ったら、始動入賞コマンドＡを、サブ制御
基板２２０に向かって送信する（Ｓ２６８）。ここで、始動入賞コマンドＡとは、第１始
動口１７ａに遊技球が入球して第１保留が発生し、尚且つ、その第１保留について事前判
定が行われたことを示すコマンドである。また始動入賞コマンドＡには、得られた事前判
定結果も組み込まれている。従って、サブ制御基板２２０のＣＰＵ２２１は、始動入賞コ
マンドＡを受信することによって、第１保留が発生して事前判定が行われたことに加えて
、その時に得られた事前判定結果についての情報も取得することが可能となっている。
【００６２】
一方、大当りフラグがＯＮに設定されていると判断された場合や（Ｓ２６２：ｙｅｓ）
、開放延長フラグがＯＮに設定されていると判断された場合は（Ｓ２６４：ｙｅｓ）、第
１保留についての事前判定は行わずに、始動入賞コマンドＢをサブ制御基板２２０に向か
って送信する（Ｓ２７０）。ここで、始動入賞コマンドＢとは、第１始動口１７ａに遊技
球が入球して第１保留が発生したが、その第１保留について事前判定が行われなかったこ
とを示すコマンドである。従って、サブ制御基板２２０のＣＰＵ２２１は、始動入賞コマ
ンドＢを受信することによって、第１保留が発生したが事前判定は行われなかったことを
認識することが可能である。
【００６３】
これに対して、第１始動口１７ａに遊技球が入球したが（Ｓ２５２：ｙｅｓ）、第１特
図の保留数が既に「４」に達していると判断された場合は（Ｓ２５４：ｙｅｓ）、第１特
図用の各種乱数を取得したり、それらを第１保留として記憶したりする処理など（Ｓ２５
６，Ｓ２５８など）は行わずに、始動入賞コマンドＣをサブ制御基板２２０に向かって送
信する（Ｓ２７２）。ここで、始動入賞コマンドＣとは、第１始動口１７ａに遊技球が入
球したが、第１保留数が既に上限値（４個）に達していたため保留として記憶されなかっ
たことを示すコマンドである。また、第１始動口１７ａに遊技球が入球していないと判断
された場合は（Ｓ２５２：ｎｏ）、上述した処理は全てスキップする。
【００６４】
以上、第１特図の保留に関する一連の処理（Ｓ２５２〜Ｓ２７２）について説明した。
上述した一連の処理を終了すると、今度は、第２特図の保留（第２保留）に関する処理を
開始する。
【００６５】
第２保留に関する処理も、上述した第１保留に関する処理とほぼ同様にして行われる。
以下、簡単に説明すると、先ず初めに、第２始動口１７ｂに遊技球が入球したか否かを判
断する（図１２のＳ２７４）。そして、第２始動口１７ｂに遊技球が入球していた場合は
（Ｓ２７４：ｙｅｓ）、第２特別図柄の保留数（第２保留数）が上限値「４」に達してい
るか否かを判断し（Ｓ２７６）、上限値「４」に達していなければ（Ｓ２７６：ｎｏ）、
第２特図用の大当り抽選乱数（第２大当り抽選乱数）、第２特図用の図柄決定乱数（第２
図柄決定乱数）を取得する（Ｓ２７８）。ここで、第２大当り抽選乱数は、図３（ｂ）に
示した第２特別図柄ＬＥＤ３３ａに表示された第２特図の大当り抽選を行うために用いら
れる乱数である。また、第２図柄決定乱数は、第２特図の大当り抽選結果に応じて、第２
特別図柄ＬＥＤ３３ａに停止表示させる第２特図を決定するための乱数である。そして、
取得した各種乱数を第２特図用の保留（第２保留）として主制御基板２００のＲＡＭ２０
３に記憶した後（Ｓ２８０）、第２保留数に「１」を加算する（Ｓ２８２）。
【００６６】
続いて、第２保留が当り保留に該当するか否かを判断する（Ｓ２８４）。そして、第２
保留についての事前判定の結果が得られたら、始動入賞コマンドＤを、サブ制御基板２２
０に向かって送信する（Ｓ２８６）。ここで、始動入賞コマンドＤとは、第２保留が発生
して事前判定が行われたこと、および得られた事前判定の結果を示すコマンドである。
【００６７】
また、第２始動口１７ｂに遊技球が入球した時に、第２特図の保留数が既に「４」に達
していた場合は（Ｓ２７６：ｙｅｓ）、第２特図用の各種乱数を取得することなく、始動
入賞コマンドＥをサブ制御基板２２０に向かって送信する（Ｓ２８８）。ここで、始動入
賞コマンドＥとは、第２始動口１７ｂに遊技球が入球したが、第２保留数が既に上限値（
４個）に達していたため保留として記憶されなかったことを示すコマンドである。また、
第２始動口１７ｂに遊技球が入球していなかった場合は（Ｓ２７４：ｎｏ）、第２保留に
関する上述した処理は全てスキップする。
【００６８】
以上のようにして、第１保留に関する一連の処理（図１１のＳ２５２〜Ｓ２７２）、お
よび第２保留に関する一連の処理（図１２のＳ２７４〜Ｓ２９４）を終了したら、今度は
、大当りフラグがＯＮに設定されているか否かを判断する（Ｓ２９６）。後述する特別図
柄遊技処理は、第１特別図柄あるいは第２特別図柄を変動表示させ、何れかの特別図柄で
所定の大当り図柄が停止表示された場合（大当り抽選に当選した場合）に、大当り遊技を
開始する処理である。そして、大当りフラグがＯＮに設定されているのであれば、現在、
大当り遊技を行っているか、これから大当り遊技が開始されることになるので、重ねて大
当り遊技を開始する必要はない。そこで、上述した第１保留あるいは第２保留に関わる処
理を終了したら、大当りフラグがＯＮに設定されているか否かを判断し（Ｓ２９６）、大
当りフラグがＯＮに設定されていなかった場合には（Ｓ２９６：ｎｏ）、後述する特別図
柄遊技処理を開始すると判断する（すなわち、Ｓ２５０：ｙｅｓ）。一方、大当りフラグ
がＯＮに設定されていた場合は（Ｓ２９６：ｙｅｓ）、特別図柄遊技処理は開始しないと
判断する（すなわち、Ｓ２５０：ｎｏ）。以上のようにして、特別図柄遊技処理を行うと
判断された場合は（Ｓ２５０：ｙｅｓ）、以下に説明する特別図柄遊技処理を行う（Ｓ３
００）。一方、特別図柄遊技処理を行わないと判断された場合は（Ｓ２５０：ｎｏ）、特
別図柄遊技処理（Ｓ３００）はスキップする。
【００６９】
尚、第１始動口１７ａまたは第２始動口１７ｂに遊技球が入球したことを受けて、第１
大当り抽選乱数、または第２大当り抽選乱数を取得するとともに、それらを第１保留ある
いは第２保留として記憶しておく処理は、本実施例の主制御基板２００に搭載されたＣＰ
Ｕ２０１が、図１１および図１２に示した特別図柄遊技開始判断処理を実行する中で行わ
れている。従って、本実施例の主制御基板２００に搭載されたＣＰＵ２０１は、本発明に
おける「大当り抽選乱数取得手段」および「保留記憶手段」に対応している。更に、第１
保留あるいは第２保留が記憶された場合に、それら保留が当り保留に該当するか否かの事
前判定を行う処理も、本実施例の主制御基板２００に搭載されたＣＰＵ２０１が、図１１
および図１２に示した特別図柄遊技開始判断処理を実行することによって行われている。
従って、本実施例の主制御基板２００に搭載されたＣＰＵ２０１は、本発明における「事
前判定手段」にも対応している。
【００７０】
Ｃ−２．特別図柄遊技処理  ：
図１３および図１４は、本実施例の特別図柄遊技処理の流れを示したフローチャートで
ある。本実施例の特別図柄遊技処理を開始すると、先ず初めに、第１特図または第２特図
の何れかが変動中か否かを判断する（Ｓ３０２）。図３を用いて前述したように、本実施
例のパチンコ機１には第１図柄表示装置２８および第２図柄表示装置３２が設けられてお
り、第１図柄表示装置２８に搭載された第１特別図柄ＬＥＤ３０ａでは第１特図の変動表
示が可能であり、第２図柄表示装置３２に搭載された第２特別図柄ＬＥＤ３３ａでは第２
特図の変動表示が可能となっている。
【００７１】
第１特図あるいは第２特図の何れも変動中でない場合は（Ｓ３０２：ｎｏ）、第１特図
あるいは第２特図を停止図柄で表示させる時間（特別図柄の停止表示時間）中であるか否
かを判断する（Ｓ３０４）。すなわち、第１特図あるいは第２特図の何れも、変動表示が
終了してしばらくの期間は、停止表示された図柄の確認時間として停止表示時間が設けら
れているので、この停止表示時間中か否かを判断する。第１特図および第２特図が変動表
示されておらず且つ特別図柄の停止表示時間も経過していることが確認された場合は（Ｓ
３０４：ｎｏ）、第２保留数が「０」であるか否かを判断する（Ｓ３０６）。前述したよ
うに、本実施例のパチンコ機１では、第１特図および第２特図の２つの特別図柄が設けら
れており、それぞれに対応する保留数が設けられているが、先ず初めに第２保留数につい
て確認する。そして、第２保留数が「０」でない場合、換言すれば、第２保留が残ってい
る場合は（Ｓ３０６：ｎｏ）、ＲＡＭ２０３に記憶されている第２特図の大当り抽選乱数
（第２大当り抽選乱数）および第２特図の図柄決定乱数（第２図柄決定乱数）の中から、
最も早いタイミングで記憶されていた乱数を読み出して（Ｓ３０８）、後述する第２特別
図柄関連処理を開始する（Ｓ３１０）。
【００７２】
一方、第２保留数が「０」であると判断された場合は（Ｓ３０６：ｙｅｓ）、第１保留
数が「０」であるか否かを判断し（Ｓ３２６）、そして、第１保留が残っていた場合には
（Ｓ３２６：ｎｏ）、ＲＡＭ２０３に記憶されている第１特図の大当り抽選乱数（第１大
当り抽選乱数）および第１特図の図柄決定乱数（第１図柄決定乱数）の中から、最も早い
タイミングで記憶されていた乱数を読み出して（Ｓ３２８）、後述する第１特別図柄関連
処理を開始する（Ｓ３３０）。このように、第１保留数については、第２保留数が「０」
であった場合にのみ、保留が残っているか否かを判断されるので、第２特図の保留が残っ
ている間は第２大当り抽選乱数および第２図柄決定乱数が読み出されて、第１特別図柄関
連処理が行われることはない。換言すれば、第２保留数については第１保留数よりも優先
して大当り抽選が行われることになる。
【００７３】
Ｃ−２−１．第２特別図柄関連処理  ：
図１５は、第２特別図柄関連処理の流れを示したフローチャートである。かかる処理は
、前述したように、特別図柄遊技処理の中で第２大当り抽選乱数および第２図柄決定乱数
が読み出された後に開始される処理である。図示されているように、第２特別図柄関連処
理（Ｓ３１０）を開始すると、先ず初めに、第２特図についての大当り抽選を行う（Ｓ３
１２０）。
【００７４】
図１６は、第２特別図柄の大当り抽選を行う処理（第２大当り抽選処理）の流れを示す
フローチャートである。図示するように、第２大当り抽選処理（Ｓ３１２０）を開始する
と、先ず初めに、確変フラグがＯＮになっているか否かを判断する（Ｓ３１２２）。ここ
で、確変フラグとは、現在の遊技状態が確変状態か否かを示すフラグであり、主制御基板
２００のＲＡＭ２０３の所定アドレスが、確変フラグをセットするデータ領域として割り
当てられている。後述するように、大当り遊技が、前述した「確変大当り図柄」で発生し
た場合には、大当り遊技の終了後、確変フラグがＯＮの状態にセットされ、遊技状態が確
変状態となる。確変フラグがＯＮに設定されていると判断された場合は（Ｓ３１２２：ｙ
ｅｓ）、確変用の大当り抽選テーブル（高確率テーブル）を選択し（Ｓ３１２４）、確変
フラグがＯＮに設定されていないと判断された場合は（Ｓ３１２２：ｎｏ）、非確変用の
大当り抽選テーブル（通常確率テーブル）を選択する（Ｓ３１２６）。ここで大当り抽選
テーブルとは、特別図柄の大当り抽選乱数に対応付けて、特別図柄の大当り抽選結果が設
定されているテーブルであり、主制御基板２００のＲＯＭ２０２に予め記憶されている。
尚、本実施例のパチンコ機１では、第１特図および第２特図が設けられており、それぞれ
に対して大当り抽選乱数が記憶されているが、大当り抽選テーブルは、第１特図または第
２特図の何れの大当り抽選乱数に対しても、同じテーブルが用いられている。このことと
対応して、本明細書中では、第１特図または第２特図の何れの大当り抽選テーブルも、単
に、特別図柄の大当り抽選テーブルと称している。
【００７５】
図１７は、本実施例のパチンコ機１に記憶されている特別図柄の大当り抽選テーブルを
例示した説明図である。図１７（ａ）には非確変用の大当り抽選テーブル（通常確率テー
ブル）が示されており、図１７（ｂ）には確変用の大当り抽選テーブル（高確率テーブル
）が示されている。図示するように、大当り抽選テーブルには、第１特図あるいは第２特
図の大当り抽選乱数に対応付けて、「大当り（当選）」あるいは「外れ（落選）」の大当
り抽選結果が設定されている。また、図１７（ａ）と図１７（ｂ）とを比較すれば明らか
なように、図１７（ｂ）に示した確変用の大当り抽選テーブルは、図１７（ａ）に示した
非確変用の大当り抽選テーブルよりも多くの乱数に、「大当り」の大当り抽選結果が設定
されている。
【００７６】
図１６に示した第２大当り抽選処理では、現在の遊技状態が確変中か否かに応じて対応
する大当り抽選テーブルを選択すると、先に、特別図柄遊技処理中で読み出しておいた第
２大当り抽選乱数（図１３のＳ３０８参照）に基づいて、選択した確変用あるいは非確変
用の大当り抽選テーブルを参照することにより、第２特図の大当り抽選結果が「大当り」
であるか否かを判断する（Ｓ３１２８）。上述したように、確変状態の時に参照する確変
用の大当り抽選テーブルは、確変状態ではない時に参照する非確変用の大当り抽選テーブ
ルに比べて、多くの大当り抽選乱数に「大当り」の大当り抽選結果が設定されていること
から、確変中は非確変中よりも高い確率で「大当り」の大当り抽選結果が発生する（大当
り抽選に当選する）ことになる。そして、第２特別図柄の大当り抽選結果が当りと判断さ
れた場合（大当り抽選に当選した場合）には（Ｓ３１２８：ｙｅｓ）、第２特別図柄の大
当り図柄を決定するためのテーブル（第２特図用大当り図柄テーブル）を参照して、大当
り図柄を決定する（Ｓ３１３０）。
【００７７】
図１８は、第２特図用大当り図柄テーブルを例示した説明図である。図示されるように
第２特図用大当り図柄テーブルには、第２図柄決定乱数に対応付けて、各種の大当り図柄
が設定されている。従って、特別図柄遊技処理中で先に読み出しておいた第２図柄決定乱
数（図１３のＳ３０８参照）に基づいて第２特図用大当り図柄テーブルを参照することに
よって、第２特図の大当り図柄を決定することが可能となっている。また、図１８に示し
たように、それぞれの大当り図柄には、「確変大当り」または「通常大当り」の何れかの
大当り種類が設定されている。従って、第２図柄決定乱数に基づいて大当り図柄を決定す
ることは、取りも直さず大当り種類を決定することにもなっている。
【００７８】
以上では、第２特図の大当り抽選結果が大当りであると判断された場合（図１６のＳ３
１２８：ｙｅｓ）について説明したが、大当り抽選結果が外れであった場合（大当り抽選
に落選した場合）は（Ｓ３１２８：ｎｏ）、第２特図の外れ図柄を決定するためのテーブ
ル（第２特図用外れ図柄テーブル）を参照して、外れ図柄を決定する（Ｓ３１３２）。図
８を用いて前述したように、本実施例のパチンコ機１では、２種類の外れ図柄が設定され
ており、第２特図用外れ図柄テーブルには、それぞれの外れ図柄に対して乱数値が対応付
けられている。従って、Ｓ３１３２では、外れ図柄を決定するための乱数を取得して第２
特図用外れ図柄テーブルを参照することにより、第２特図の外れ図柄を決定することがで
きる。尚、外れ図柄を決定するための乱数を取得する代わりに、大当り図柄を決定するた
めに取得しておいた第２図柄決定乱数を用いて外れ図柄を決定することとしても良い。
【００７９】
以上に説明したように、図１６に示した第２大当り抽選処理では、第２大当り抽選乱数
に基づいて第２特別図柄の大当り抽選を行うとともに、大当り抽選結果に応じて、第２特
図の大当り図柄あるいは外れ図柄を決定する処理を行う（Ｓ３１２８〜Ｓ３１３２）。そ
して、大当り図柄あるいは外れ図柄を決定したら、第２大当り抽選処理を終了して、図１
５に示した第２特別図柄遊技処理に復帰する。
【００８０】
図１５に示されるように、第２特別図柄遊技処理では、第２大当り抽選処理から復帰す
ると、今度は、第２特図の変動パターンを設定する処理を行う（Ｓ３１４０）。ここで、
第２特図の変動パターンとは、次のようなものである。前述したように第２図柄表示装置
３２では、第２特図の変動表示が開始されると、設定された変動時間だけ変動表示を行っ
た後、予め決定された大当り図柄または外れ図柄で停止表示される。また、このような第
２特図の変動表示に合わせて演出表示装置２７では識別図柄２７ａ，２７ｂ，２７ｃを変
動表示させながら各種の演出が行われ、第２特図が停止表示されると、識別図柄２７ａ，
２７ｂ，２７ｃの変動が停止表示されて、第２特図の停止図柄に対応する図柄で停止表示
される。すなわち、演出表示装置２７上で識別図柄２７ａ，２７ｂ，２７ｃを用いて行わ
れる各種の演出の内容は、第２特図の停止図柄や変動時間に依存したものとなっている。
そこで、図１６を用いて前述した第２大当り抽選処理で第２特図の停止図柄を決定したら
、続いて、第２特図を変動表示させる時間（変動時間）を決定しておく必要がある。第２
特図の変動パターンとは、第２特図を変動表示させる変動時間を表すパターンである。
【００８１】
図１９は、第２特別図柄の変動パターンを決定するために行われる変動パターン設定処
理を示したフローチャートである。第２特図の変動パターン設定処理（Ｓ３１４０）を開
始すると、先ず初めに、第２特図の大当り抽選結果が大当りか否かを判断する（Ｓ３１４
２）。そして、大当り抽選結果が大当り（大当り抽選に当選）であれば（Ｓ３１４２：ｙ
ｅｓ）、今度は、特殊変動フラグがＯＮに設定されているか否かを判断する（Ｓ３１４４
）。詳細には後述するが、特殊変動フラグは、大当り遊技が終了した後、第１特図または
第２特図の変動表示および停止表示が所定回数繰り返されるまでの間、ＯＮに設定される
フラグである。特殊変動フラグは、主制御基板２００に搭載されたＲＡＭ２０３の所定ア
ドレスが割り当てられており、主制御基板２００のＣＰＵ２０１はこのアドレスに設定さ
れているデータを読み出すことによって、特殊変動フラグがＯＮに設定されているか否か
を容易に判断することができる。
【００８２】
その結果、特殊変動フラグがＯＮに設定されていなかった場合は（Ｓ３１４４：ｎｏ）
、確変フラグや時短フラグの設定状態に応じた大当り変動パターンテーブルを選択する（
Ｓ３１４６）。ここで、変動パターンテーブルとは、変動パターン決定乱数に対応付けて
変動パターンが設定されたテーブルである。また、大当り変動パターンテーブルには、大
当り用の変動パターンのみが設定されている。本実施例のパチンコ機１には、大当り変動
パターンテーブルとして、確変フラグがＯＮに設定された遊技状態（確変状態）用のテー
ブルや、確変フラグはＯＮに設定されていないが時短フラグがＯＮに設定された遊技状態
（時短状態）用のテーブルが設けられている。そこで、大当り抽選結果が大当りであり（
Ｓ３１４２：ｙｅｓ）、特殊変動フラグがＯＮに設定されていない場合は（Ｓ３１４４：
ｎｏ）、確変フラグや時短フラグの設定状態に応じて、対応する大当り変動パターンテー
ブルを選択する処理を行う（Ｓ３１４８）。
【００８３】
これに対して、大当り抽選の結果が大当りであり（Ｓ３１４２：ｙｅｓ）、特殊変動フ
ラグがＯＮに設定されていた場合は（Ｓ３１４４：ｙｅｓ）、特殊変動時大当り変動パタ
ーンテーブルを選択する（Ｓ３１４６）。ここで特殊変動時大当り変動パターンテーブル
とは、大当り抽選の結果が大当りであり、且つ、特殊変動フラグがＯＮに設定されている
場合に用いられる特別な変動パターンテーブルである。
【００８４】
図２０は、特殊変動時大当り変動パターンテーブルを示した説明図である。前述したよ
うに変動パターンテーブルは、変動パターン決定乱数に対応付けて種々の変動パターンが
設定されているのであるが、特殊変動時大当り変動パターンテーブルは、図示されている
ように、変動パターン決定乱数によらず、常に同じ変動パターン（ＨＰ９１）が設定され
たテーブルとなっている。ここで、変動パターンＨＰ９１は、変動時間が「５秒」の変動
パターンである。従って、特殊変動フラグがＯＮに設定されている状態で、第２特図の大
当りが発生する場合は（Ｓ３１４２：ｙｅｓ、Ｓ３１４４：ｙｅｓ）、第２特図の変動時
間が必ず「５秒」に設定されることになる。
【００８５】
以上では、第２特図の大当り抽選結果が大当りと判断された場合に（Ｓ３１４２：ｙｅ
ｓ）、変動パターンテーブルを選択する処理について説明した。これに対して、第２特図
の大当り抽選結果が大当りではないと判断された場合は（Ｓ３１４２：ｎｏ）、次のよう
にして変動パターンテーブルを選択する。先ず、特殊変動フラグがＯＮに設定されている
か否かを判断する（Ｓ３１５０）。そして、特殊変動フラグがＯＮに設定されていない場
合は（Ｓ３１５０：ｎｏ）、確変フラグや時短フラグの設定状態に応じた外れ変動パター
ンテーブルを選択する（Ｓ３１５４）。ここで外れ変動パターンテーブルとは、大当り抽
選の結果が外れの場合に用いられる変動パターンのみが設定されたテーブルである。この
外れ変動パターンテーブルにも、確変状態用のテーブルや、時短状態用のテーブルが設け
られており、このことと対応して、Ｓ３１５４では、確変フラグや時短フラグの設定を確
認して、設定状態に応じた外れ変動パターンテーブルを選択する。
【００８６】
一方、大当り抽選の結果が外れであり（Ｓ３１４２：ｙｅｓ）、尚且つ、特殊変動フラ
グがＯＮに設定されていた場合は（Ｓ３１５０：ｙｅｓ）、第２特図用の特殊変動時外れ
変動パターンテーブルを選択する（Ｓ３１５２）。
【００８７】
図２１は、第２特図用の特殊変動時外れ変動パターンテーブルを示した説明図である。
図２０を用いて前述した特殊変動時大当り変動パターンテーブルには、変動パターン決定
乱数に拘わらず、１つの変動パターン（ＨＰ９１）が設定されていた。これに対して、図
２１に示した第２特図用の特殊変動時外れ変動パターンテーブルには、変動パターンＨＰ
９８と変動パターンＨＰ９９の２つの変動パターンが設定されている。そして、変動時間
が「１３秒」に設定された変動パターンＨＰ９８は、第２特図の保留が最後の１つになっ
た場合に選択される変動パターンである。また、変動時間が「２．５秒」に設定された変
動パターンＨＰ９８は、複数個の第２特図の保留が記憶されている場合に選択される変動
パターンである。すなわち、一般的な変動パターンテーブルは、変動パターン決定乱数に
対応付けて複数種類の変動パターンが設定されているのであるが、第２特図の特殊変動時
外れ変動パターンテーブルは、２種類の変動パターンしか設定されておらず、しかもそれ
ら変動パターンが、変動パターン決定乱数ではなく第２特図の保留数（第２保留数）に対
応付けて設定されたテーブルとなっている。
【００８８】
こうして、大当り用または外れ用の変動パターンテーブルを選択したら、選択した変動
パターンテーブルを参照して、変動パターンを決定する。すなわち、選択したテーブルが
、特殊変動時外れ変動パターンテーブル以外のテーブルであった場合は（Ｓ３１４６、Ｓ
３１４８、またはＳ３１５４）、変動パターン決定乱数を取得した後（Ｓ３１５６）、選
択されている変動パターンテーブルを参照して、変動パターン決定乱数に対応付けられた
変動パターンを取得し、取得した変動パターンを、第２特図用の変動パターンとして設定
する（Ｓ３１５８）。
【００８９】
これに対して、変動パターンテーブルとして第２特図用の特殊変動時外れ変動パターン
テーブルを選択した場合は（Ｓ３１５２）、現在の第２特図の保留数（第２保留数）を取
得する（Ｓ３１６０）。第２保留数は、図１１および図１２を用いて前述した特別図柄遊
技開始判断処理の中で第２保留が記憶される度に「１」ずつ加算されて、主制御基板２０
０のＲＡＭ２０３に記憶されている。従って、ＣＰＵ２０１はＲＡＭ２０３を参照するこ
とによって、直ちに第２保留数を取得することができる。続いて、先に選択した第２特図
用の特殊変動時外れ変動パターンテーブルを参照して、第２保留数に対応付けて設定され
ている変動パターンを取得した後、その変動パターンを、第２特図用の変動パターンとし
て設定する（Ｓ３１６２）。以上のようにして、大当り遊技の抽選結果や、特殊変動フラ
グ、確変フラグ、時短フラグなどの設定状況に応じた第２特図用の変動パターンを設定し
たら（Ｓ３１５８、Ｓ３１６２）、図１９に示す第２特別図柄の変動パターン設定処理を
終了して、図１５の第２特別図柄関連処理に復帰する。
【００９０】
図１５の第２特別図柄関連処理では、以上のようにして第２特図の変動パターンを設定
すると（Ｓ３１４０）、第２特図の変動表示を開始した後（Ｓ３１２）、第２特図保留表
示ＬＥＤ３３ｂを用いて表示されている第２特図用の保留数（第２保留数）から１を減算
する処理を行う（Ｓ３１４）。続いて、先に決定しておいた第２特図の変動パターンを指
定するコマンド（変動パターン指定コマンド）を、サブ制御基板２２０に向かって出力し
た後（Ｓ３１６）、特別図柄の停止図柄（ここでは第２特図の停止図柄）を指定するコマ
ンド（停止図柄指定コマンド）を、同じくサブ制御基板２２０に向かって出力する（Ｓ３
１８）。以上のようにして変動パターン指定コマンドおよび停止図柄指定コマンドを出力
したら、図１５の第２特別図柄関連処理を終了し、図１３に示した特別図柄遊技処理に復
帰する。
【００９１】
尚、大当り遊技が終了して特殊変動フラグがＯＮに設定された後、大当り抽選結果が外
れの時に、図１５の第２特別図柄関連処理が開始されると、図１９に示した第２特別図柄
の変動パターン設定処理の中では、第２保留が最後の１つとなっていない限り、常に変動
パターンＨＰ９９が選択される。その結果、第２特図が外れ変動を行うときは常に「２．
５秒」だけ変動表示する特別な遊技状態になる。大当り遊技後に、このような遊技状態に
移行するのは、主制御基板２００のＣＰＵ２０１が図１９に示す変動パターン設定処理を
行っているためであり、従って、本実施例の主制御基板２００に搭載されたＣＰＵ２０１
は、本発明における「特定遊技実行手段」に対応している。
【００９２】
以上、特別図柄遊技処理の中で第２特図の保留（第２保留）が残っていると判断した場
合に（図１３のＳ３０６：ｎｏ）、第２特図の大当り抽選を行うとともに第２特図の変動
表示を開始する一連の処理（第２特別図柄遊技関連処理）について説明した。これに対し
て、第２特図の保留が残っていないと判断した場合には（Ｓ３０６：ｙｅｓ）、第１特図
の保留（第１保留）が残っているか否かを判断する（Ｓ３２６）。そして、第１特図の保
留が残っている場合には（Ｓ３２６：ｎｏ）、ＲＡＭ２０３に記憶されている第１特図の
大当り抽選乱数（第１大当り抽選乱数）および第１特図の図柄決定乱数（第１図柄決定乱
数）の中から、最も早いタイミングで記憶されていた乱数を読み出した後（Ｓ３２８）、
以下に説明する第１特別図柄関連処理を開始する（Ｓ３３０）。
【００９３】
Ｃ−２−２．第１特別図柄関連処理  ：
図２２は、第１特別図柄関連処理の流れを示したフローチャートである。第１特別図柄
関連処理は、図１５を用いて前述した第２特別図柄関連処理とほぼ同様であるため、第２
特別図柄関連処理についての説明を踏まえて簡単に説明する。第１特別図柄関連処理にお
いても、前述した第２特別図柄関連処理と同様に、処理を開始すると、先ず初めに第１特
図についての大当り抽選を行う（Ｓ３３２０）。第１特図の大当り抽選は、図１６を用い
て前述した第２特図の大当り抽選と同様にして行う。以下、図１６を参照しながら簡単に
説明すると、先ず初めに、確変フラグがＯＮに設定されているか否かを判断し、確変フラ
グがＯＮに設定されていれば、確変用の大当り抽選テーブル（高確率テーブル）を選択し
、確変フラグがＯＮでなければ非確変用の大当り抽選テーブル（通常確率テーブル）を選
択する（Ｓ３１２２〜Ｓ３１２６相当）。このとき参照する大当り抽選テーブルは、前述
したように、図１７に示す特別図柄の大当り抽選テーブルを用いることができる。
【００９４】
続いて、読み出した第１大当り抽選乱数と大当り抽選テーブルとに基づいて大当り抽選
結果が大当りか否か（大当り抽選に当選したか否か）を判断し、大当り抽選結果が大当り
（大当り抽選に当選）の場合は、読み出した第１図柄決定乱数と第１特図用大当り図柄テ
ーブルとに基づいて第１特図の大当り図柄を決定する。これに対して、大当り抽選結果が
外れ（大当り抽選に落選）の場合は、第１特図用外れ図柄テーブルを参照して第１特図の
外れ図柄を決定する（Ｓ３１２８〜Ｓ３１３２相当）。
【００９５】
図２３は、第１特図用大当り図柄テーブルを示した説明図である。図１８を用いて前述
した第２特図用大当り図柄テーブルと同様に、図２３の第１特図用大当り図柄テーブルに
も、第１図柄決定乱数に対応付けて、各種の大当り図柄が設定されており、第１図柄決定
乱数に基づいて、第１特図の大当り図柄を決定することができる。尚、図２３に示した第
１特図用大当り図柄テーブルには、「確変大当り図柄」および「通常大当り図柄」に加え
て「２Ｒ確変大当り図柄」を含めた全ての種類の大当り図柄が設定されている。従って、
第１特図で大当りが発生する場合には、「確変大当り図柄」、「通常大当り図柄」だけで
なく、「２Ｒ確変大当り図柄」が停止表示される場合も起こり得る。これに対して、前述
した第２特図で大当りが発生する場合は、「確変大当り図柄」または「通常大当り図柄」
の何れかの図柄が停止表示され、「２Ｒ確変大当り図柄」が停止表示されることはない。
詳細には後述するが、「２Ｒ確変大当り図柄」が停止表示された場合には、大入賞口３１
ｄに遊技球がほとんど入球し得ない態様で大当り遊技が行われ、遊技者がほとんど賞球を
獲得することができないまま大当り遊技が終了してしまう。従って、「２Ｒ確変大当り図
柄」が停止表示されることのない第２特図による大当り抽選は、「２Ｒ確変大当り図柄」
が停止表示される場合のある第１特図による大当り抽選よりも、遊技者にとって有利な条
件で行われているということができる。
【００９６】
第１特図についての大当り抽選処理（図２２のＳ３３２０）では、以上のようにして大
当り抽選を行うとともに、その結果に応じて大当り図柄または外れ図柄を決定する処理を
行う。こうして第１特図の停止図柄を決定したら、第１特別図柄関連処理においても、第
１特図の変動パターンを設定する処理を行う（Ｓ３３４０）。第１特別図柄関連処理の中
で第１特図の変動パターンを設定する処理も、前述した第２特別図柄関連処理の中で第２
特図の変動パターンを設定する処理と同様にして行うことができる。以下、第２特図の変
動パターンを設定する処理を示した図１９を参照して簡単に説明する。
【００９７】
第１特図の変動パターン設定処理（Ｓ３３４０）を開始すると、先ず初めに、第１特別
図柄の大当り抽選結果と、特殊変動フラグの設定状態とを確認する。その結果、大当り抽
選結果が大当りであり（Ｓ３１４２：ｙｅｓ相当）、特殊変動フラグがＯＮに設定されて
いる場合は（Ｓ３１４４：ｙｅｓ相当）、特殊変動時大当り変動パターンテーブルを選択
する（Ｓ３１４６相当）。このとき選択される特殊変動時大当り変動パターンテーブルは
、図２０を用いて前述した特殊変動時大当り変動パターンテーブルである。すなわち、特
殊変動時大当り変動パターンテーブルは、第１特図と第２特図の場合とで共用されている
。また、大当り抽選の結果が大当りであり（Ｓ３１４２：ｙｅｓ相当）、特殊変動フラグ
がＯＮに設定されていない場合は（Ｓ３１４４：ｎｏ相当）、確変フラグや時短フラグの
設定状態に応じた大当り変動パターンテーブルを選択する（Ｓ３１４８相当）。
【００９８】
これに対して、大当り抽選結果が外れであり（図１９のＳ３１４２：ｎｏ相当）、特殊
変動フラグがＯＮに設定されていない場合は（Ｓ３１５０：ｎｏ）、確変フラグや時短フ
ラグの設定状態に応じた外れ変動パターンテーブルを選択する（Ｓ３１５４相当）。以上
のようにして、特殊変動時大当り変動パターンテーブル、確変フラグあるいは時短フラグ
の設定状態に応じた大当り変動パターンテーブル、または外れ変動パターンを選択したら
、変動パターン決定乱数を取得した後（Ｓ３１５６相当）、選択しておいた変動パターン
テーブルを参照して、第１特図の変動パターンを決定する（Ｓ３１５８相当）。
【００９９】
一方、大当り抽選結果が外れであり（Ｓ３１４２：ｎｏ相当）、特殊変動フラグがＯＮ
に設定されていた場合は（Ｓ３１５０：ｙｅｓ相当）、第１特図用の特殊変動時外れ変動
パターンテーブルを選択する（Ｓ３１５２相当）。
【０１００】
図２４は、第１特図用の特殊変動時外れ変動パターンテーブルを示した説明図である。
図示されているように、第１特図用の特殊変動時外れ変動パターンテーブルは、図２０を
用いて前述した特殊変動時大当り変動パターンテーブルと同様に、変動パターン決定乱数
によらず、常に同じ変動パターン（ＨＰ９８）が設定されている。ここで、変動パターン
ＨＰ９８は、変動時間が「１３秒」の変動パターンである。
【０１０１】
続いて、現在の第１特図の保留数（第１保留数）を取得した後（Ｓ３１６０相当）、先
に選択した第１特図用の特殊変動時外れ変動パターンテーブルを参照して、第１保留数に
対応付けて設定されている変動パターンを取得した後、その変動パターンを、第１特図用
の変動パターンとして設定する（Ｓ３１６２相当）。以上のようにして、大当り遊技の抽
選結果や、特殊変動フラグ、確変フラグ、時短フラグなどの設定状況に応じた第１特図用
の変動パターンを設定したら、第１特図の変動パターン設定処理を終了する。
【０１０２】
図２２の第１特別図柄関連処理では、以上のようにして第１特図の変動パターンを設定
すると（Ｓ３３４０）、第１特図の変動表示を開始した後（Ｓ３３２）、第１特図保留表
示ＬＥＤ３０ｂを用いて表示されている第１特図用の保留数（第１保留数）から１を減算
する処理を行う（Ｓ３３４）。そして、先に決定しておいた第１特図の変動パターンを指
定するコマンド（変動パターン指定コマンド）と、第１特図の停止図柄を指定するコマン
ド（停止図柄指定コマンド）とをサブ制御基板２２０に向かって出力した後（Ｓ３３６，
Ｓ３３８）、図２２に示した第１特別図柄関連処理を終了して、図１３に示した特別図柄
遊技処理に復帰する。
【０１０３】
主制御基板２００のＣＰＵ２０１は、以上のようにして、第１特図あるいは第２特図の
変動パターンと停止図柄とを決定し、変動パターン指定コマンド、停止図柄指定コマンド
をサブ制御基板２２０に向けて出力したら、図１３に示した特別図柄遊技処理を終了して
、図１０に示す遊技制御処理に復帰する。尚、第１始動口１７ａまたは第２始動口１７ｂ
の何れかに遊技球が入球したことを受けて、第１特図または第２特図の大当り抽選を行う
処理は、本実施例の主制御基板２００に搭載されたＣＰＵ２０１が、図１３および図１４
に示した特別図柄遊技処理を実行することによって行われている。従って、本実施例にお
ける主制御基板２００のＣＰＵ２０１は、本発明における「大当り抽選手段」に対応して
いる。
【０１０４】
以上、第１特図あるいは第２特図の何れも変動表示していない場合（すなわち、図１３
のＳ３０２：ｎｏの場合）に、特別図柄遊技処理で行われる詳細な処理について説明した
。一方、第１特図または第２特図の何れかが変動中に、図１３の特別図柄遊技処理が開始
された場合は、最初に行うＳ３０２の判断で、「ｙｅｓ」と判断される。この場合は、既
に、特別図柄の変動パターンと停止図柄とが決定されて、第１特図または第２特図の変動
表示が開始されている場合に該当する。そこで、特別図柄変動時間が経過したか否かを判
断する（Ｓ３４８）。すなわち、第１特図または第２特図の変動時間は変動パターンに応
じて予め定められているので、第１特図または第２特図の変動表示を開始すると同時にタ
イマをセットすることにより、所定の変動時間が経過したかを判断するのである。そして
、未だ変動時間が経過していない場合は（Ｓ３４８：ｎｏ）、そのまま特別図柄遊技処理
を終了して、図１０に示す遊技制御処理に復帰する。
【０１０５】
これに対して、変動時間が経過したと判断された場合は（Ｓ３４８：ｙｅｓ）、変動中
の特別図柄を停止表示させることを示すコマンド（図柄停止コマンド）をサブ制御基板２
２０に向かって出力する（Ｓ３５０）とともに、変動表示中の第１特図または第２特図を
、予め設定しておいた図柄で停止表示させる（Ｓ３５２）。次いで、停止表示させた特別
図柄を停止状態のまま保持する時間（停止表示時間）を設定した後（Ｓ３５４）、設定し
た停止表示時間が経過したか否かを判断する（Ｓ３５６）。そして、停止表示時間が経過
していなければ（Ｓ３５６：ｎｏ）、そのまま特別図柄遊技処理を終了して図１０に示す
遊技制御処理に復帰する。一方、停止表示時間が経過した場合は（Ｓ３５６：ｙｅｓ）、
停止表示された特別図柄が大当り図柄であるか否かを判断する（図１４のＳ３５８）。尚
、本実施例のパチンコ機１には、第１図柄表示装置２８および第２図柄表示装置３２の２
つの図柄表示装置が搭載されており、第１図柄表示装置２８では第１特図の変動表示およ
び停止表示が可能であり、第２図柄表示装置３２では第２特図の変動表示および停止表示
が可能であるが、上記の大当り図柄は、第１特図あるいは第２特図の何れで停止表示され
ていても良い。
【０１０６】
第１図柄表示装置２８または第２図柄表示装置３２の何れかで停止表示された特別図柄
が、大当り図柄であった場合は（Ｓ３５８：ｙｅｓ）、大当りフラグをＯＮに設定した後
（Ｓ３６０）、大当り遊技が開始されることをサブ制御基板２２０に知らせるためのコマ
ンド（大当り開始コマンド）を送信する（Ｓ３６１）。大当りフラグとは、遊技状態が大
当り遊技状態であることを表すフラグであり、主制御基板２００に搭載されたＲＡＭ２０
３の所定のアドレスが大当りフラグを設定するデータ領域として用いられている。詳細に
は後述するが、大当りフラグがＯＮに設定された状態で、特別図柄遊技処理を抜けて図１
０の遊技制御処理に復帰すると特別電動役物遊技処理が開始され、いわゆる大当り遊技が
開始されるようになっている。
【０１０７】
尚、図１４のフローチャートでは図示を省略しているが、大当りフラグをＯＮに設定し
て大当り開始コマンドをサブ制御基板２２０に向けて送信する際に、特殊変動フラグがＯ
Ｎに設定されている場合には、特殊変動フラグをＯＦＦに設定する。詳細には後述するが
、特殊変動フラグがＯＮに設定されているとき、サブ制御基板２２０のＣＰＵ２２１は特
殊な態様の演出を行うモードとして「告知演出モード」を実行するが、この「告知演出モ
ード」は、大当り遊技と並行して行われることはなく、大当り遊技の開始に伴い必然的に
終了するものである。よって、主制御基板２００のＣＰＵ２０１は、大当り遊技開始時に
特殊変動フラグがＯＮに設定されていれば、そのフラグをＯＦＦに設定するのである。そ
して、サブ制御基板２２０のＣＰＵ２２１は、大当り開始コマンドを受信したときに「告
知演出モード」を実行していたのであれば、その大当り開始コマンドの受信により「告知
演出モード」を終了させて、大当り遊技に係る演出を開始することとなる。
【０１０８】
また、本実施例のパチンコ機１では、大当り遊技中は、確変機能や時短機能は働かない
こととしている。ここで確変機能とは、特別図柄の大当り抽選で大当りの発生確率（大当
り抽選の当選確率）を高確率に設定する機能であり、時短機能とは、第１特別図柄ＬＥＤ
３０ａあるいは第２特別図柄ＬＥＤ３３ａで特別図柄が変動表示される時間を短縮する機
能である。本実施例のパチンコ機１では、確変フラグがＯＮに設定されると確変機能が作
動し、時短フラグがＯＮに設定されると、時短機能が作動するようになっている。また、
確変フラグおよび時短フラグも、大当りフラグと同様に、主制御基板２００に搭載された
ＲＡＭ２０３の所定のアドレスが、それぞれ確変フラグおよび時短フラグを設定するデー
タ領域として用いられている。
【０１０９】
図１４のＳ３６０において大当りフラグをＯＮに設定し、大当り開始コマンドを送信し
たら（Ｓ３６１）、確変フラグがＯＮに設定されているか否かを判断する（Ｓ３６２）。
そして、確変フラグがＯＮに設定されていれば（Ｓ３６２：ｙｅｓ）、確変機能が作動し
ているので、確変機能を停止させるために、確変フラグをＯＦＦに設定し（Ｓ３６４）、
続いて時短フラグがＯＮに設定されているか否かを判断する（Ｓ３６６）。一方、確変フ
ラグがＯＮに設定されていなかった場合は（Ｓ３６２：ｎｏ）、Ｓ３６４の処理を行うこ
となく時短フラグがＯＮに設定されているか否かを判断する（Ｓ３６６）。そして時短フ
ラグがＯＮに設定されていた場合は（Ｓ３６６：ｙｅｓ）、時短フラグをＯＦＦに設定す
る（Ｓ３６８）。また、本実施例のパチンコ機１では、時短機能が作動している場合は、
第２始動口１７ｂの開放時間を延長状態とする機能（開放時間延長機能）も作動している
ので、時短機能を停止させるべく時短フラグをＯＦＦにしたら（Ｓ３６８）、開放時間延
長機能の作動も停止させるべく開放延長フラグをＯＦＦに設定した後（Ｓ３７０）、図１
３および図１４に示した特別図柄遊技処理を抜けて、図１０の遊技制御処理に復帰する。
一方、大当りフラグがＯＮに設定されたときの遊技状態が確変中でも時短中でもなかった
場合は（Ｓ３６２：ｎｏ、Ｓ３６６：ｎｏ）、そのまま特別図柄遊技処理を抜けて遊技制
御処理に復帰する。
【０１１０】
以上、第１特別図柄ＬＥＤ３０ａあるいは第２特別図柄ＬＥＤ３３ａで停止表示された
図柄（すなわち第１特図あるいは第２特図）が、大当り図柄であった場合（Ｓ３５８：ｙ
ｅｓ）の処理について説明したが、停止表示された図柄が大当り図柄でなかった（外れ図
柄であった）場合は（Ｓ３５８：ｎｏ）、次のような処理を行う。
【０１１１】
先ず、特殊変動フラグがＯＮに設定されているか否かを判断する（Ｓ３７１）。そして
、特殊変動フラグがＯＮに設定されていた場合は（Ｓ３７１：ｙｅｓ）、特殊変動カウン
タから「１」を減算する（Ｓ３７２）。ここで、特殊変動カウンタとは、特殊変動フラグ
がＯＮに設定された状態で、第１特図または第２特図の変動表示および停止表示が行われ
た回数を計数するために用いられるカウンタである。詳細には後述するが、本実施例のパ
チンコ機１では、大当り遊技が終了すると特殊変動フラグがＯＮに設定されるとともに、
特殊変動カウンタに所定の値がセットされるようになっている。また、特殊変動カウンタ
は、主制御基板２００に搭載されたＲＡＭ２０３の所定アドレスに設定されている。
【０１１２】
次に、特殊変動カウンタが「０」になったか否かを判断し（Ｓ３７３）、特殊変動カウ
ンタが「０」に達していたら（Ｓ３７３：ｙｅｓ）、特殊変動フラグをＯＦＦに設定する
とともに（Ｓ３７４）、前述した告知演出モード終了コマンドをサブ制御基板２２０に向
かって送信する（Ｓ３７５）。上述したように特殊変動カウンタが「０」に達すると（Ｓ
３７３：ｙｅｓ）、特殊変動フラグがＯＦＦに設定されるので（Ｓ３７４）、このことに
対応して告知演出モードを終了させるべく、サブ制御基板２２０に向かって告知演出モー
ド終了コマンドを出力するのである（Ｓ３７５）。
【０１１３】
一方、特殊変動カウンタから「１」を減算しても（Ｓ３７２）、特殊変動カウンタが「
０」に達していない場合は（Ｓ３７３：ｎｏ）、特殊変動フラグをＯＦＦにしたり（Ｓ３
７４）、告知演出モード終了コマンドを送信したりする処理（Ｓ３７５）はスキップする
。また、特殊変動フラグがＯＮに設定されていないと判断された場合は（Ｓ３７１：ｎｏ
）、特殊変動カウンタから「１」を減算してから告知演出モード終了コマンドを送信する
までの全ての処理（Ｓ３７２〜Ｓ３７５）をスキップする。
【０１１４】
続いて、時短フラグがＯＮになっているか否かを判断する（Ｓ３７６）。そして、時短
フラグがＯＮになっていると判断された場合は（Ｓ３７６：ｙｅｓ）、時短中の特別図柄
の変動回数を計数する時短カウンタから「１」を減算する（Ｓ３７７）。後述するように
時短カウンタには、大当り遊技の終了時に「１００」または「１００００」の何れかの値
が設定されている。次に、時短カウンタの値が「０」になったか否かを判断する（Ｓ３７
８）。そして、時短カウンタの値が「０」に達したら（Ｓ３７８：ｙｅｓ）、時短フラグ
をＯＦＦにした後（Ｓ３７９）、開放延長フラグもＯＦＦにして（Ｓ３７０）、図１３お
よび図１４に示した特別図柄遊技処理を抜けて、図１０の遊技制御処理に復帰する。
【０１１５】
尚、第１始動口１７ａあるいは第２始動口１７ｂに遊技球が入球した場合に、第１特図
または第２特図の何れも変動表示中でなかった場合には、第１特図または第２特図の変動
表示を開始する処理や、変動表示している特別図柄（第１特図または第２特図）を外れ図
柄または大当り図柄で停止表示させる処理は、主制御基板２００のＣＰＵ２０１が、上述
した特別図柄遊技処理を実行することによって実現されている。従って、本実施例におけ
る主制御基板２００に搭載されたＣＰＵ２０１は、本発明における「図柄変動開始手段」
および「図柄停止手段」に対応している。
【０１１６】
図１０に示すように、遊技制御処理では、特別図柄遊技処理から復帰すると、大当りフ
ラグがＯＮに設定されているか否かを判断する（Ｓ３９０）。前述したように大当りフラ
グは、遊技状態が大当り遊技状態であることを表すフラグである。そこで、主制御基板２
００のＣＰＵ２０１は、大当りフラグがＯＮに設定されている場合は（Ｓ３９０：ｙｅｓ
）、以下に説明する特別電動役物遊技処理を開始する（Ｓ４００）。一方、大当りフラグ
がＯＮに設定されていない場合は（Ｓ３９０：ｎｏ）、特別電動役物遊技処理（Ｓ４００
）はスキップして、遊技制御処理の先頭に戻り、前述した賞球関連処理（Ｓ５０）以降の
一連の処理を繰り返す。
【０１１７】
Ｃ−３．特別電動役物遊技処理  ：
図２５は、特別電動役物遊技処理の前半部分を示すフローチャートである。また、図２
６は、特別電動役物遊技処理の後半部分を示すフローチャートである。このような特別電
動役物遊技処理が実行されることによって、特別遊技（いわゆる大当り遊技）が行われる
。以下、図２５および図２６を参照しながら特別電動役物遊技処理について説明するが、
その準備として、大当り遊技と呼ばれる遊技の内容について簡単に説明しておく。
【０１１８】
図２を用いて前述したように、遊技盤の下方には大入賞口３１ｄが設けられており、こ
の大入賞口３１ｄは通常の遊技状態では閉鎖されている。しかし、大当り遊技が開始され
ると、大入賞口３１ｄが開放状態となる。大入賞口３１ｄは他の入賞口に比べて大きく開
放するため、大入賞口３１ｄが開放状態になると、遊技球が高い確率で入球することにな
る。開放された大入賞口３１ｄは、所定の開放時間が経過するか、あるいは所定数の遊技
球が入球すると一旦閉鎖されるが、所定の閉鎖時間が経過すると再び開放状態となる。ま
た、大入賞口３１ｄが開放してから閉鎖するまでの遊技は、「ラウンド遊技（あるいは単
にラウンド）」と呼ばれる。こうしたラウンド遊技を繰り返して、所定回数のラウンド遊
技を消化したら大当り遊技が終了する。以下、上述した大当り遊技を実行するために、主
制御基板２００のＣＰＵ２０１が行う特別電動役物遊技処理について、図２５および図２
６を参照しながら説明する。
【０１１９】
主制御基板２００のＣＰＵ２０１は、特別電動役物遊技処理（Ｓ４００）を開始すると
先ず初めに、大入賞口３１ｄが開放中か否かを判断する（Ｓ４０２）。大入賞口３１ｄは
、通常の遊技状態では閉鎖されており、従って大当り遊技の開始直後は、大入賞口３１ｄ
は閉鎖状態となっている。そこで、大入賞口３１ｄは開放中ではないと判断して（Ｓ４０
２：ｎｏ）、大入賞口３１ｄの開放回数（すなわち、ラウンド回数）が所定回数に達した
か否かを判断する（Ｓ４０４）。前述したように大当り遊技中には、大入賞口３１ｄが開
放して、所定回数のラウンド遊技が繰り返されることになっている。このことに対応して
、大入賞口３１ｄが閉鎖されている場合は（Ｓ４０２：ｎｏ）、大入賞口３１ｄの開放回
数（ラウンド回数）が所定回数に達したか否かを判断する（Ｓ４０４）。
【０１２０】
当然のことながら、大当り遊技が開始された直後は、大入賞口３１ｄの開放回数は所定
回数に達していないから（Ｓ４０４：ｎｏ）、大入賞口３１ｄの閉鎖時間が経過したか否
かを判断する（Ｓ４０６）。大入賞口３１ｄの閉鎖時間とは、ラウンドとラウンドとの間
で大入賞口３１ｄが閉鎖状態となっている時間である。大当り遊技が開始された直後は、
大入賞口３１ｄは閉鎖状態となっているから、当然、大入賞口３１ｄの閉鎖時間が経過し
ていると判断され（Ｓ４０６：ｙｅｓ）、大入賞口３１ｄを開放させて新たなラウンド遊
技を開始する（Ｓ４０８）。そして、開始したラウンド遊技が何ラウンド目のラウンド遊
技かをサブ制御基板２２０に対して指定するコマンド（ラウンド数指定コマンド）を出力
した後（Ｓ４１０）、図２５に示した特別電動役物遊技処理を一旦終了して、図１０の遊
技制御処理に復帰する。
【０１２１】
主制御基板２００のＣＰＵ２０１は遊技制御処理に復帰すると、図１０に示したように
、賞球関連処理（Ｓ５０）以降の一連の各種処理を行った後、再び特別電動役物遊技処理
（Ｓ４００）を開始する。前述したように、図１０に示した遊技制御処理を、主制御基板
２００のＣＰＵ２０１が一回、実行するために要する時間は、約４ｍｓｅｃとなっている
。従って、図２５および図２６に示した特別電動役物遊技処理も、約４ｍｓｅｃ毎に実行
されることになる。そして、特別遊技が開始されて、図２５および図２６の特別電動役物
遊技処理が初めて実行された場合には、前述したようにＳ４０８において大入賞口３１ｄ
を開放させて、そのまま処理を終了するが、約４ｍｓｅｃ後に２周目の処理を行う場合に
は、Ｓ４０２にて、大入賞口３１ｄが開放中（Ｓ４０２：ｙｅｓ）と判断されることにな
る。
【０１２２】
次いで、大入賞口３１ｄの開放時間が所定時間に達したか否かを判断する（Ｓ４１２）
。前述したように、大当り遊技では、大入賞口３１ｄが開放状態となるが、開放時間が所
定時間に達するか、または大入賞口３１ｄに所定数の遊技球が入球すると閉鎖される。こ
のことに対応して、Ｓ４１２では大入賞口３１ｄの開放時間が所定時間に達したか否かを
判断する。そして、開放時間が所定時間に達していれば（Ｓ４１２：ｙｅｓ）、大入賞口
３１ｄを閉鎖した後（Ｓ４１６）、図２５に示した特別電動役物遊技処理を抜けて、図１
０の遊技制御処理に復帰する。一方、開放時間が所定時間に達していない場合は（Ｓ４１
２：ｎｏ）、大入賞口３１ｄに入球した遊技球が規定数に達しているか否かを判断する（
Ｓ４１４）。そして、遊技球が規定数に達した場合は（Ｓ４１４：ｙｅｓ）、大入賞口３
１ｄを閉鎖する（Ｓ４１６）。これに対して、規定数に達していない場合は（Ｓ４１４：
ｎｏ）、大入賞口３１ｄの開放時間が未だ所定時間に達しておらず、しかも大入賞口３１
ｄに入球した遊技球も規定数に達していないことになるので、大入賞口３１ｄを開放させ
たまま、図２５に示した特別電動役物遊技処理を抜けて、図１０の遊技制御処理に復帰す
る。
【０１２３】
図１０の遊技制御処理を何回も繰り返し実行しているうちに、大入賞口３１ｄの開放時
間が所定時間に達するか（Ｓ４１２：ｙｅｓ）、もしくは大入賞口３１ｄに規定数数の遊
技球が入球して（Ｓ４１４：ｙｅｓ）、大入賞口３１ｄが閉鎖される（Ｓ４１６）。こう
して、１回のラウンド遊技が終了する。そして、次に特別電動役物遊技処理が実行された
時には、Ｓ４０２において大入賞口３１ｄが閉鎖中と判断され（Ｓ４０２：ｎｏ）、所定
回数のラウンド遊技が終了したか否かが判断され（Ｓ４０４）、全てのラウンド遊技が終
了していなければ（Ｓ４０４：ｎｏ）、大入賞口の閉鎖時間が所定時間に達したことを確
認した後（Ｓ４０６：ｙｅｓ）、再び大入賞口３１ｄを開放状態として新たなラウンド遊
技を開始した後（Ｓ４０８）、ラウンド数指定コマンドをサブ制御基板２２０に向かって
出力する（Ｓ４１０）。一方、Ｓ４０４において、所定回数のラウンド遊技が終了したと
判断された場合は（Ｓ４０４：ｙｅｓ）、大当り遊技を終了させるべく、大当りフラグを
ＯＦＦに変更する（Ｓ４１８）。尚、大当り遊技が２Ｒ確変大当りによって開始された場
合には、ラウンド回数は２回、大入賞口開放時間は約０．５秒間に設定されるので、大入
賞口３１ｄは開放状態とはなるものの、ほとんど遊技球を入球させることができず、従っ
て遊技球の払い出しを受けることができないまま大当り遊技が終了してしまう。
【０１２４】
以上のようにして大当り遊技を終了させたら、その大当り遊技を開始することとなった
大当りの種類が、確変大当り（２Ｒ確変大当りを含む）であったか否かを判断する（図２
６のＳ４２２）。そして、確変大当りではなかった場合（Ｓ４２２：ｎｏ）、通常大当り
による大当り遊技であったことになるので、時短カウンタに「１００」を設定する（Ｓ４
２４）。これに対して、大当り遊技が確変大当り（２Ｒ確変大当りを含む）によるもので
あった場合は（Ｓ４２２：ｙｅｓ）、時短カウンタに「１００００」を設定した後（Ｓ４
２５）、確変フラグをＯＮに設定する（Ｓ４２６）。
【０１２５】
こうして、大当り遊技を開始することとなった大当りの種類に応じて、時短カウンタを
設定し（Ｓ４２４、Ｓ４２５）、あるいは確変フラグをＯＮに設定する処理を行ったら（
Ｓ４２６）、続いて、特殊変動フラグをＯＮに設定するとともに（Ｓ４２８）、特殊変動
カウンタに「５０」を設定する（Ｓ４３０）。図１９を用いて前述したように、特殊変動
フラグとは、第１特図あるいは第２特図の変動パターンが通常とは異なる特殊な変動パタ
ーンに設定されることを示すフラグである。また、図１４を用いて前述したように、特殊
変動カウンタとは、特殊変動フラグがＯＮに設定されて、その結果、第１特図あるいは第
２特図の変動パターンが通常とは異なる特殊な変動パターンに設定される期間を示すカウ
ンタである。本実施例のパチンコ機１では、大当り遊技の終了後に、第１特図あるいは第
２特図の変動表示および停止表示が行われた回数が、特殊変動カウンタに設定された回数
（ここでは５０回）に達するまで、特殊な変動パターンに従って変動表示が行われること
になる。その結果、外れ保留に対応する図柄変動時間は、その保留が最後の保留でない限
り、常に「２．５秒」の固定時間に設定される。このことから、本実施例において特殊変
動カウンタの初期値として設定された「５０」は、本発明における「規定回数」に対応し
ている。
【０１２６】
大当り遊技の終了後、以上のようにして特殊変動フラグをＯＮに設定するとともに（Ｓ
４２８）、特殊変動カウンタに初期値として「５０」を設定したら（Ｓ４３０）、告知演
出モード開始コマンドをサブ制御基板２２０に向かって送信する（Ｓ４３２）。告知演出
モード開始コマンドとは、前述した告知演出モードの開始を指示するために、サブ制御基
板２２０に送信されるコマンドである。続いて、時短機能および普通電動役物の開放延長
機能を作動させるべく、時短フラグおよび開放延長フラグをＯＮに設定する（Ｓ４３４、
Ｓ４３６）。以上のようにして、大当り遊技に関する処理を全て終了したら、図２５およ
び図２６に示す特別電動役物遊技処理を終了して、図１０の遊技制御処理に復帰する。
【０１２７】
以上に説明したように、本実施例のパチンコ機１では、上述した遊技制御処理を繰り返
し実行することによって、遊技が進行していく。遊技を開始した直後は、特殊変動フラグ
がＯＮに設定されていないので、第１始動口１７ａまたは第２始動口１７ｂに遊技球が入
球すると、第１特図または第２特図の変動パターンが乱数抽選によって決定され、決定さ
れた変動パターンに応じた時間だけ特別図柄が変動表示される。こうした遊技を行ってい
るうちに第１特図または第２特図が大当り図柄で停止表示されると大当り遊技が開始され
、大当り遊技の終了後は、特殊変動フラグがＯＮに設定される。そして特殊変動フラグが
ＯＮに設定されている間は、遊技球が第１始動口１７ａまたは第２始動口１７ｂに入球す
る度に、大当り遊技が開始されるか否かを告知する以下に示すような演出（告知演出）が
行われるようになっている。以下では、初めに告知演出の概要について説明した後、告知
演出を実行するためにサブ制御基板２２０のＣＰＵ２２１が行っている処理について説明
する。
【０１２８】
Ｃ−４．告知演出処理  ：
図２７は、本実施例のパチンコ機１で行われる告知演出の概要を示した説明図である。
この告知演出は、大当り遊技が終了して特殊変動フラグがＯＮに設定されている間に、演
出表示装置２７の画面上で行われる演出である。
【０１２９】
大当り遊技が終了すると、演出表示装置２７の画面は、３つのピラミッドを表す背景図
柄２７ｄが表示された状態となる。また、図１１および図１２を用いて前述したように、
本実施例のパチンコ機１では、第１始動口１７ａまたは第２始動口１７ｂに遊技球が入球
して第１保留または第２保留が発生すると事前判定が行われる。告知演出では、事前判定
の結果、発生した保留が当り保留ではないと判断される度に、ピラミッドの上に落雷が発
生する画像が表示される。また、第１始動口１７ａあるいは第２始動口１７ｂに遊技球が
入球したからといって、必ず保留が発生するわけではないが、このような保留が発生しな
い場合にも落雷の画像が表示される。結局、大当り遊技の終了後は、当り保留が発生しな
い限り、第１始動口１７ａまたは第２始動口１７ｂに遊技球が入球する度に、ピラミッド
の上に落雷が発生する演出が行われることになる。
【０１３０】
図２７（ａ）〜図２７（ｃ）には、ピラミッドの上に落雷が発生する演出が行われる様
子が例示されている。本実施例のパチンコ機１では、大当り遊技の終了後は、第１始動口
１７ａまたは第２始動口１７ｂに遊技球が入球すると、その入球によって当り保留が発生
しない限り、図２７（ａ）〜図２７（ｃ）に例示した何れかの演出が行われる。
【０１３１】
また、前述したように、大当り遊技の終了後は開放延長フラグがＯＮに設定されて、第
２始動口１７ｂの開放時間が延長されるので、遊技球が頻繁に第２始動口１７ｂに入球す
る。加えて、図２７（ａ）〜図２７（ｃ）に例示した演出は、保留が上限値に達した後も
、遊技球が第１始動口１７ａまたは第２始動口１７ｂに入球する度に行われる。その結果
、本実施例のパチンコ機１では、大当り遊技が終了すると、図２７（ａ）〜図２７（ｃ）
に例示した演出が頻繁に行われることになる。そして、このような演出が行われている間
は、当り保留は発生していないことになる。従って、図２７（ａ）〜図２７（ｃ）に例示
する演出は、言わば「外れ」を告知する演出ということができる。
【０１３２】
このような演出が行われている状態で、第２保留の当り保留が発生すると、図２７（ｄ
）に例示したように、３つのピラミッドに同時に落雷が発生する画像が表示され、続いて
、図２７（ｅ）〜図２７（ｇ）に例示したように、ピラミッドの向こう側から巨大な魔神
が登場する動画の再生が開始される。このような動画の再生が開始されると、遊技者は当
り保留の発生を認識することになる。そして、この動画の再生は、当り保留に対応して３
つの識別図柄２７ａ，２７ｂ，２７ｃが少なくとも変動表示を開始するまでは継続され、
識別図柄２７ａ，２７ｂ，２７ｃが大当り態様で停止表示される時には、動画の再生が終
了して魔神が完全に姿を現した画像が表示されている（図２７（ｇ）参照）。
【０１３３】
また、当り保留が発生する前に既に幾つかの外れ保留が記憶されていた場合には、当り
保留が発生してからその保留が消化されるまでの間に、それら既に記憶されていた外れ保
留が消化される。このことと対応して、当り保留が発生して動画の再生が開始された後は
、図２７（ｅ）または図２７（ｆ）に例示したように、外れ保留が消化される度に、演出
表示装置２７の画面の隅の部分で、３つの識別図柄２７ａ，２７ｂ，２７ｃの変動表示お
よび停止表示が行われる。すなわち、当り保留の発生を告知する演出は、当り保留が発生
してから消化されるまでの間に、外れ保留に対応して演出表示装置２７の画面上で識別図
柄２７ａ，２７ｂ，２７ｃの変動表示が行われる場合でも、それら複数回の変動表示に亘
って、一つの連続した動画を再生することによって行われている。このため、演出表示装
置２７の画面上で識別図柄２７ａ，２７ｂ，２７ｃが変動表示される度毎に、細切れに短
い演出を行う場合とは異なって、十分な時間をかけて演出を行うことができるので、効果
的な告知演出を行うことが可能となる。
【０１３４】
また、このような告知演出を実現するためには、当り保留が発生した時点で、その当り
保留に対応して、演出表示装置２７の画面上で識別図柄２７ａ，２７ｂ，２７ｃが停止表
示されるまでに要する時間を推定して、適切な再生時間の動画を選択して再生することが
重要となる。本実施例のパチンコ機１では、前述したように大当り遊技が終了すると特殊
変動フラグをＯＮに設定し、特殊変動フラグがＯＮに設定されている間は、特殊な変動パ
ターンを設定することによって、適切な再生時間の動画を容易に選択することが可能とな
っている。以下では、上述した告知演出を行うために、サブ制御基板２２０のＣＰＵ２２
１が行う処理について説明する。
【０１３５】
Ｃ−４−１．告知演出モード開始処理  ：
図２８は、大当り遊技の終了後に告知演出を行うための告知演出モードを開始する処理
を示すフローチャートである。この告知演出モード開始処理（Ｓ１０００）は、サブ制御
基板２２０に搭載されたＣＰＵ２２１によって実行されている。
【０１３６】
告知演出モード開始処理では、先ず初めに、主制御基板２００から告知演出モード開始
コマンドを受信したか否かを判断する（Ｓ１００２）。図２６を用いて前述したように、
告知演出モード開始コマンドとは、大当り遊技が終了して特殊変動フラグがＯＮに設定さ
れると（図２６のＳ４２８）、主制御基板２００からサブ制御基板２２０に向かって出力
されるコマンドである（図２６のＳ４３０）。上述した告知演出を行うためには、特殊変
動フラグがＯＮに設定されていることが重要であり、特殊変動フラグがＯＮに設定される
と、主制御基板２００から告知演出モード開始コマンドが送信されるから、未だ告知演出
モード開始コマンドを受信していない場合は（Ｓ１００２：ｎｏ）、そのまま本処理を終
了する。そして、大当り遊技が開始されて、その大当り遊技が終了すると、主制御基板２
００からサブ制御基板２２０に向かって告知演出モード開始コマンドが送信されるので、
Ｓ１００２では「ｙｅｓ」と判断される。
【０１３７】
サブ制御基板２２０のＣＰＵ２２１は、告知演出モード開始コマンドを受信すると、大
当り遊技が終了した時点で記憶されていた保留についての情報を取得する（Ｓ１００４）
。図１１および図１２を用いて前述したように、主制御基板２００のＣＰＵ２０１は、第
１保留あるいは第２保留が発生する度に、始動入賞コマンドをサブ制御基板２２０に向か
って送信している。そして、この始動入賞コマンドを解析すれば、第１保留または第２保
留の何れの保留が発生したか、およびその保留が当り保留か否かを判断することができる
。更に、それら保留に対応して特別図柄が変動表示する度に変動パターン指定コマンドお
よび停止図柄指定コマンドが送信され、特別図柄が停止表示される度に図柄停止コマンド
が送信される。従って、サブ制御基板２２０のＣＰＵ２２１は、これらのコマンドを解析
することにより、現在、どのような保留がどれだけ記憶されているかを容易に取得するこ
とができる。
【０１３８】
こうして既存の保留に関する情報を取得したら（Ｓ１００４）、今度は、その中に第２
保留の当り保留があるか否かを判断して（Ｓ１００６）、第２保留の当り保留がある場合
は（Ｓ１００６：ｙｅｓ）、その旨を表すフラグ（既存当り保留フラグ）をＯＮに設定す
る（Ｓ１００８）。既存当り保留フラグは、サブ制御基板２２０に搭載されたＲＡＭ２２
３の所定アドレスが割り当てられている。既存の保留の中に第２保留の当り保留が存在し
ていた場合に、既存当り保留フラグをＯＮに設定する理由については後述する。これに対
して、第２保留の当り保留が存在しなかった場合は（Ｓ１００６：ｎｏ）、既存当り保留
フラグをＯＮに設定する処理はスキップする。
【０１３９】
次に、既存の保留の中から第２保留の個数（第２保留数）を検出して、検出した第２保
留数を、告知演出の最大実行回数から減算する（Ｓ１０１０）。告知演出の最大実行回数
は、図２５および図２６を用いて前述した特別電動役物遊技処理の中で設定される特殊変
動カウンタの初期値（本実施例では５０回）に設定されている。尚、このときに検出され
た第２保留数が、本発明における「既存保留数」に対応する。そして、得られた減算値を
、告知演出カウンタに設定する（Ｓ１０１２）。告知演出カウンタとは、図２７に示した
ような告知演出の実行回数を計数するために用いられるカウンタである。例えば、大当り
遊技終了時点で３つの第２保留が記憶されていたとすると、告知演出の最大実行回数（す
なわち、特殊変動カウンタの初期値）は５０回であるから、「４７（＝５０−３）」の値
が告知演出カウンタに設定される。また、大当り遊技の終了時点で第２保留が記憶されて
いない場合には、告知演出の最大実行回数（５０回）が告知演出カウンタに設定されるこ
とになる。こうして告知演出カウンタを設定したら（Ｓ１０１２）、図２７に示した告知
演出を行うべく告知演出モードを開始する（Ｓ１０１４）。
【０１４０】
Ｃ−４−２．告知演出実行処理  ：
サブ制御基板２２０のＣＰＵ２２１は、図２８に示したように告知演出モードを開始す
ると、告知演出実行処理を行う。図２９は、告知演出モード中にサブ制御基板２２０のＣ
ＰＵ２２１が告知演出を実行するために行う告知演出実行処理の前半部分を示したフロー
チャートである。また、図３０は、告知演出実行処理の後半部分を示したフローチャート
である。
【０１４１】
告知演出実行処理では、先ず初めに、主制御基板２００から第１特図の変動パターン指
定コマンドを受信したか否かを判断する（Ｓ１１０２）。告知演出処理の中で、第１特図
の変動パターン指定コマンドを受信したか否かを判断している理由については後述する。
第１特図の変動パターン指定コマンドを受信していなかった場合は（Ｓ１１０２：ｎｏ）
、今度は、始動入賞コマンドを受信したか否かを判断する（Ｓ１１０４）。ここで始動入
賞コマンドとは、図１１および図１２を用いて前述したように、第１始動口１７ａまたは
第２始動口１７ｂに遊技球が入球する度に、主制御基板２００からサブ制御基板２２０に
向かって送信されるコマンドである。前述したように始動入賞コマンドには、コマンドＡ
〜コマンドＥまでの５種類のコマンドが設けられているが、Ｓ１１０４においては、何れ
かの始動入賞コマンドを受信したか否かを判断する。
【０１４２】
何れの始動入賞コマンドも受信していない場合は（Ｓ１１０４：ｎｏ）、大当り開始コ
マンドを受信したか否かを判断し（図３０のＳ１１３０）、受信していない場合には、さ
らに告知演出モード終了コマンドを受信したか否かを判断する（図３０のＳ１１３２）。
ここで、大当り開始コマンドとは、大当り遊技が開始される旨を指定するコマンドであり
、図１４を用いて前述したように、大当り図柄が停止表示されて大当り遊技が開始される
ことが確定した場合（図１４のＳ３５８：ｙｅｓ）に、主制御基板２００のＣＰＵ２０１
からサブ制御基板２２０に向かって送信される（図１４のＳ３６１）。また、告知演出モ
ード終了コマンドとは、告知演出モードを終了させる旨を指定するコマンドであり、図１
４を用いて前述したように、特殊変動カウンタが「０」に達して特殊変動フラグがＯＦＦ
に設定された場合（図１４のＳ３７４）に、主制御基板２００のＣＰＵ２０１からサブ制
御基板２２０に向かって送信される（図１４のＳ３７５）。その結果、大当り開始コマン
ドおよび告知演出モード終了コマンドの何れも受信していないと判断された場合は（図３
０のＳ１１３０：ｎｏ，Ｓ１１３２：ｎｏ）、先頭に戻って、第１特図の変動パターン指
定コマンドを受信したか否か、および始動入賞コマンドを受信したか否かを判断する（図
２９のＳ１１０２、Ｓ１１０４）。
【０１４３】
このような処理を繰り返しているうちに、第１始動口１７ａまたは第２始動口１７ｂの
何れかに遊技球が入球すると主制御基板２００から始動入賞コマンドが送信されるので、
Ｓ１１０４で「ｙｅｓ」と判断される。続いて、受信した始動入賞コマンドが、コマンド
Ｄか否かを判断する（Ｓ１１０６）。図１２を用いて前述したように、始動入賞コマンド
Ｄは、第２保留が発生して尚且つその保留について事前判定が行われた場合に送信される
コマンドである。その結果、受信した始動入賞コマンドがコマンドＤではなかった場合は
（Ｓ１１０６：ｎｏ）、外れ告知演出を実行する（図３０のＳ１１２２）。外れ告知演出
とは、図２７（ａ）〜図２７（ｃ）に例示したように、何れか１つのピラミッドの上に落
雷が発生する画像を表示する演出である。すなわち、始動入賞コマンドＡ〜Ｃの何れかを
受信した場合（第１始動口１７ａに遊技球が入球した場合に該当）や、始動入賞コマンド
Ｅを受信した場合（第２保留が４個記憶されている状態で第２始動口１７ｂに遊技球が入
球した場合に該当）には、その度に、図２７（ａ）〜図２７（ｃ）に例示したような外れ
告知演出が実行されることになる。
【０１４４】
これに対して受信した始動入賞コマンドがコマンドＤであった場合は（図２９のＳ１１
０６：ｙｅｓ）、告知演出カウンタが「０」に達しているか否かを判断する（Ｓ１１０８
）。前述したように告知演出カウンタとは、告知演出の実行回数を計数するためのカウン
タである。告知演出カウンタが「０」に達している場合は（Ｓ１１０８：ｙｅｓ）、外れ
告知演出を実行する（図３０のＳ１１２２）。本来であれば、告知演出カウンタが「０」
に達すると、ほとんど同じタイミングで特殊変動フラグがＯＦＦに設定されて、告知演出
モード終了コマンドが送信されるのであるが、図１４を用いて前述したように、告知演出
モード終了コマンドは特別図柄（第１特図または第２特図）が停止表示された後に送信さ
れる（図１４のＳ３７５参照）。このため、最後の図柄変動中に第２始動口１７ｂに遊技
球が入球した場合には、告知演出カウンタが「０」に達しているにも拘わらず、始動入賞
コマンドＤが送信される場合も起こり得る。そこで、図２９の告知演出実行処理では、始
動入賞コマンドＤを受信すると（Ｓ１１０６：ｙｅｓ）、告知演出カウンタが「０」に達
しているか否かを判断して（Ｓ１１０８）、告知演出カウンタが「０」に達していた場合
には（Ｓ１１０８：ｙｅｓ）、外れ告知演出を実行する（図３０のＳ１１２２）。この結
果、主制御基板２００から受信した始動入賞コマンドＤが、たとえ第２保留で当り保留が
発生したことによるものであっても、告知演出カウンタが「０」に達している場合は外れ
告知演出が実行されることになる。
【０１４５】
これに対して告知演出カウンタが「０」に達していなかった場合は（Ｓ１１０８：ｎｏ
）、告知演出カウンタから「１」を減算した後（Ｓ１１１０）、事前判定結果が大当りか
否かを判断する（Ｓ１１１２）。前述したように始動入賞コマンドＤは、第２保留が発生
して事前判定が行われた時に主制御基板２００から送信されるコマンドであり、始動入賞
コマンドＤには、事前判定の結果も組み込まれている。従って、サブ制御基板２２０のＣ
ＰＵ２２１は、受信した始動入賞コマンドＤを解析することによって、事前判定結果が大
当りか否かを判断することができる。その結果、事前判定結果が大当りではないと判断さ
れた場合は（Ｓ１１１２：ｎｏ）、第２保留で外れ保留が発生したことになるので、外れ
告知演出を実行する（図３０のＳ１１２２）。
【０１４６】
一方、事前判定結果が大当りであった場合は（Ｓ１１１２：ｙｅｓ）、今度は、既存当
り保留フラグがＯＮに設定されているか否かを判断する（Ｓ１１１４）。ここで、既存当
り保留フラグとは、図２８を用いて前述したように、大当り遊技の終了時点で既に記憶さ
れていた保留の中に、第２保留の当り保留が存在していた場合にＯＮに設定されるフラグ
である（図２８のＳ１００８）。その結果、既存当り保留フラグがＯＮに設定されていた
場合は（Ｓ１１１４：ｙｅｓ）、たとえ大当り遊技の終了後に、新たに第２保留の当り保
留が発生した場合でも、外れ告知演出を実行する（図３０のＳ１１２２）。尚、大当り遊
技の終了時点で既に記憶されていた保留の中に、第２保留の当り保留が存在していた場合
に既存当り保留フラグをＯＮに設定する処理は、図２８を用いて前述した告知演出モード
開始処理の中で行われている。従って、告知演出モード開始処理を実行する本発明のサブ
制御基板２２０に搭載されたＣＰＵ２２１は、本発明における「当り保留有無検出手段」
に対応する。また、既存当り保留フラグがＯＮに設定されている場合には、たとえ第２保
留で当り保留が発生した場合でも、外れ告知演出を行う処理は、図２９および図３０に示
した告知演出実行処理の中で実行されている。従って、告知演出実行処理を行うＣＰＵ２
２１は、本発明における「当り告知演出禁止手段」にも対応している。
【０１４７】
一方、既存当り保留フラグがＯＮに設定されていない場合は（図２９のＳ１１１４：ｎ
ｏ）、当り保留の発生を告知する演出（当り告知演出）を実施するために、以下のような
処理を開始する。
【０１４８】
当り告知演出を行うに際しては、先ず初めに、当り告知演出を実行する時間（当り告知
演出実行時間）を算出する（図３０のＳ１１１６）。図２７を用いて前述したように、当
り告知演出では、第２保留の当り保留が発生すると、３つのピラミッドの上に一斉に落雷
が発生する画像が表示されて、巨大な魔神が登場する動画の再生が開始される。そして、
当り保留が発生した時に既に外れ保留が記憶されていて、当り保留が発生してから、その
当り保留が消化されるまでの間に、特別図柄の変動表示が複数回行われる場合でも、それ
ら複数回の変動表示に亘って、魔神が登場する動画の再生が継続される。このことに対応
して、図３０のＳ１１１６では、当り告知演出を開始するに先立って、当り告知演出実行
時間（換言すれば、動画の再生時間）を算出する処理を行う。尚、本実施例のパチンコ機
１では、大当り遊技の終了後は特殊変動フラグがＯＮに設定されて、特殊な変動パターン
テーブルを参照して変動パターンを決定している。このため、第２保留の当り保留が発生
する状況については様々なケースが考えられるものの、第２保留の当り保留が発生してか
ら、その当り保留が消化されるまでの時間を容易に算出することが可能であり、従って、
適切な当り告知演出実行時間を設定することができる。
【０１４９】
尚、第２保留の当り保留が発生する状況は多岐に亘るが、以下では、第２保留の当り保
留が発生したタイミング、すなわち、「第２保留の当り保留が、大当り遊技の終了後（す
なわち、告知演出モード開始後）の何番目の保留として発生したか」という点に着目して
、それぞれの発生状況で起こり得る当り告知演出実行時間について説明する。また、大当
り遊技終了後は開放延長フラグがＯＮに設定されるので第２始動口１７ｂ（普通電動役物
）の開放延長機能が作動し（図２６のＳ４３６参照）、更に、第１特図の変動表示よりも
第２特図の変動表示の方が優先して行われる（図１３のＳ３０６参照）。このため、告知
演出モード中は、第２始動口１７ｂへの遊技球入球頻度（新たな第２保留の発生頻度）が
極めて高くなることから、第２特図の変動表示を主体として遊技が進行していく。よって
、以下では、第２保留（第２特図）についてのみ考慮する。
【０１５０】
図３１は、大当り遊技終了後（告知演出モード開始後）、最初に発生した第２保留が当
り保留であった場合に、その当り保留の発生から消化までに要する時間を示した説明図で
ある。最も単純な場合として、大当り遊技の終了時点（告知演出モードの開始時点）では
第２保留が残っておらず、大当り遊技の終了後（告知演出モードの開始後）に初めて発生
した第２保留が当り保留であった場合を考える（図３１（ａ）を参照のこと）。この場合
、主制御基板２００側では、第２保留の当り保留が発生すると、その保留に基づいて、直
ちに第２特図の変動表示が開始される（図１３参照）。この第２特図の変動表示開始時に
は、図２０に示した特殊変動時大当り変動パターンテーブルに基づき変動パターンが決定
されるので、このときの第２特図の変動時間は「５秒」に設定される（図１９および図２
０参照）。一方、サブ制御基板２２０側では、第２保留の当り保留が発生すると直ちに当
り告知演出が開始される。ここでは、この当り告知演出は変動表示中の第２特図が停止表
示されるまで継続されるものとしているから、当り告知演出実行時間は、図３１（ａ）に
示したように、第２特図の変動時間と同じ「５秒」となる。
【０１５１】
もちろん実際には、大当り遊技の終了時点で第２保留が蓄えられており、その状態で告
知演出モーに移行して最初に発生した第２保留が当り保留となることも十分に起こり得る
。このような場合、たとえ大当り遊技の終了後に最初に発生した保留が第２保留の当り保
留であっても、その当り保留が消化されるのは、先に蓄えられていた第２保留（ここでは
、全て外れ保留であるとする）を消化した後になる。このことを考慮して、図３１（ｂ）
には、大当り遊技の終了時点で４個の第２保留（外れ保留）が蓄えられている状態から告
知演出モードに移行して第２特図の変動表示が開始され、その変動表示中（残りの第２保
留が３個となったとき）に新たに発生した第２保留が当り保留であった場合が示されてい
る。
【０１５２】
尚、図３１（ｂ）に示したケースは、保留が満杯の状態で大当り遊技が終了し、最初に
発生した保留が第２保留の当り保留であったケースである。しかし、保留個数「０」の状
態で大当り遊技が終了して告知演出モードに移行した後、続けて４個の第２保留（外れ保
留）が発生し、第２特図の変動表示が開始されて残りの第２保留が３個となった状態で、
第２保留の当り保留が発生した場合も、第２保留の当り保留が発生した時点に着目すれば
全く同じ状況となる。従って、大当り遊技の終了後（告知演出モード開始後）に連続して
外れ保留が発生した後に、４個目の保留として第２保留の当り保留が発生するケースは全
て、図３１（ｂ）に示したケースに含めて考えて良い。
【０１５３】
大当り遊技終了後の告知演出モード中における外れ保留の消化に際しては、図２１に示
した特殊変動時外れ変動パターンテーブルを参照して変動パターンが決定されるので、第
２特図の変動時間は「２．５秒」に設定される。従って、大当り遊技の終了時点（告知演
出モードの開始時点）で４個の第２保留（外れ保留）が蓄えられており、その状態から第
２特図の変動表示が開始された直後（換言すれば、第２保留が４個から３個に減った直後
）に発生した第２保留が当り保留であったとすると、当り告知演出実行時間の最長時間は
、図３１（ｂ）に示したように「１５秒（＝２．５秒×４＋５秒）」となる。なお、図３
１（ｂ）では、大当り遊技の終了時点で蓄えられていた第２保留（第２保留の当り保留発
生前に蓄えられていた第２保留）に対応して第２特図が変動表示する期間を破線の矩形で
表している。一方、大当り遊技の終了時点（告知演出モードの開始時点）で４個の第２保
留（外れ保留）が蓄えられている状態から第２特図の変動表示が１回行われ、これに続い
て２回目の第２特図の変動表示が開始される直前（換言すれば、第２保留が３個から２個
に減る直前）に発生した第２保留が当り保留であったとすると、当り告知演出実行時間は
「１２．５秒（＝２．５秒×３＋５秒）」となる。結局、図３１（ｂ）に示したケースで
は、第２保留数が３個の状態で変動表示している第２特図の残り変動時間によって、当り
告知演出実行時間は「１２．５秒〜１５秒」の範囲の値を取り得ることになる。
【０１５４】
図３１（ｃ）には、大当り遊技の終了時点では３個の第２保留（外れ保留）が蓄えられ
ていて、大当り遊技終了後の最初に発生した保留が第２保留の当り保留であった場合が示
されている。すなわち、３個の保留が蓄えられている状態で大当り遊技が終了して告知演
出モードに移行し、第２特図の変動表示が開始されて残りの第２保留数は２個となり、そ
の変動表示中に最初の保留として第２保留の当り保留が発生した場合である。尚、図３１
（ｃ）に示したケースは、３個の外れ保留が記憶されている状態で大当り遊技が終了し、
最初に発生した保留が第２保留の当り保留であったケースである。しかし、保留個数「０
」の状態で大当り遊技が終了し、告知演出モードの開始後に続けて３個の第２保留（外れ
保留）が発生し、第２特図の変動表示が開始されて残りの第２保留が２個となった状態で
、第２保留の当り保留が発生した場合も、第２保留の当り保留が発生した時点に着目すれ
ば全く同じ状況となる。従って、大当り遊技の終了後（告知演出モード開始後）に連続し
て外れ保留が発生した後に、３個目の保留として第２保留の当り保留が発生するケースは
全て、図３１（ｃ）に示したケースに含めて考えて良い。
【０１５５】
この図３１（ｃ）に示したケースにおいても、図３１（ｂ）の場合と同様にして考えれ
ば、第２保留数が２個の状態で変動表示している第２特図の残り変動時間によって、当り
告知演出実行時間は「１０秒〜１２．５秒」の範囲の値を取り得ることが分かる。
【０１５６】
図３１（ｄ）には、大当り遊技の終了時点では２個の第２保留（外れ保留）が蓄えられ
ていて、大当り遊技終了後の最初に発生した保留が第２保留の当り保留であった場合が示
されている。すなわち、２個の保留が蓄えられている状態で大当り遊技が終了して告知演
出モードに移行し、第２特図の変動表示が開始されて残りの第２保留数は１個となり、そ
の変動表示中に最初の保留として第２保留の当り保留が発生した場合である。尚、図３１
（ｄ）に示したケースは、２個の外れ保留が記憶されている状態で大当り遊技が終了し、
最初に発生した保留が第２保留の当り保留であったケースである。しかし、保留個数「０
」の状態で大当り遊技が終了し、告知演出モードの開始後に続けて２個の第２保留（外れ
保留）が発生し、最初の外れ保留に対応する第２特図の変動表示中（従って、残りの第２
保留は１個となった状態で）、第２保留の当り保留が発生した場合も、第２保留の当り保
留が発生した時点に着目すれば全く同じ状況となる。従って、大当り遊技の終了後（告知
演出モード開始後）に外れ保留が発生して、第２特図の変動表示中に、２個目の保留とし
て第２保留の当り保留が発生するケースは全て、図３１（ｄ）に示したケースに含めて考
えて良い。
【０１５７】
この図３１（ｄ）に示したケースにおいても、図３１（ｂ）や図３１（ｃ）の場合と同
様にして考えれば、第２保留数が１個の状態で変動表示している第２特図の残り変動時間
によって、当り告知演出実行時間は「７．５秒〜１０秒」の範囲の値を取り得ることにな
る。
【０１５８】
図３１（ｅ）には、大当り遊技の終了時点で１個だけ第２保留（外れ保留）が蓄えられ
ており、その状態から告知演出モードに移行して第２特図の変動表示が開始され、その変
動表示中（残りの第２保留が無くなったとき）に発生した最初の第２保留が当り保留であ
った場合が示されている。この図３１（ｅ）に示すケースには、告知演出モード進行過程
において１個の第２保留（外れ保留）が発生した後、第２特図の変動表示が開始されて残
りの第２保留が無くなった状態で発生した第２保留が、当り保留であった場合も含まれる
。前述したように大当り遊技の終了後は特殊変動フラグがＯＮに設定されて告知演出モー
ドとなることから、最後の第２保留に対応する変動表示を開始するに際しては、図２１に
示した特殊変動時外れ変動パターンテーブルが参照され、更に、第２保留の個数は最後の
１個になっているから、第２特図の変動時間は「１３秒」に設定される。従って、第２保
留の当り保留が発生したタイミングが、第２特図の変動表示が開始された直後（第２保留
が１個から０個に減った直後）であれば、当り告知演出実行時間は「１８秒」となる。ま
た、第２特図の変動表示が終了する直前であれば、当り告知演出実行時間は「５秒」とな
る。結局、図３１（ｅ）に示したケースでは、第２保留数が０個の状態で変動表示してい
る第２特図の残り変動時間によって、当り告知演出実行時間は「５秒〜１８秒」の範囲の
値を取り得ることになる。
【０１５９】
以上、図３１を用いて説明したように、大当り遊技終了後（告知演出モード開始後）、
最初に発生した第２保留が当り保留であった場合、その当り保留が消化されるまでに要す
る時間（すなわち、当り告知演出実行時間）は「５〜１８秒」の間で変動し得ることにな
る。
【０１６０】
次に、大当り遊技の終了後（告知演出モードの開始後）、２つめに発生した第２保留が
当り保留であった場合について考える。図３２は、大当り遊技終了後の２つめに発生した
第２保留が当り保留であった場合に、その当り保留の発生から消化までに要する時間を示
した説明図である。図３２（ａ）には、最も単純な場合として、大当り遊技の終了時点で
は第２保留が残っておらず、大当り遊技の終了後（告知演出モードの開始後）に初めて発
生した第２保留が外れ保留であり、２つめの第２保留が当り保留であった場合が示されて
いる。大当り遊技終了後の最初に発生した外れ保留が消化される時点では、その外れ保留
が最後の第２保留となるから、特別図柄（第２特図）の変動時間は「１３秒」となる（図
２１参照）。そして、その変動表示中に第２保留の当り保留が発生することになるから、
当り告知演出実行時間は、図３２（ａ）に示されるように「５〜１８秒」の間で変動し得
る。
【０１６１】
図３２（ａ）では、大当り遊技の終了時点で保留が残っていない状態で、外れ保留およ
び当り保留がこの順序で発生する場合を想定したが、もちろん、大当り遊技の終了時点で
幾つかの保留が蓄えられている場合も起こり得る。図３２（ｂ）には、大当り遊技終了時
点で３個の第２保留（外れ保留）が蓄えられており、その状態から告知演出モードに移行
して第２特図の変動表示が開始され、残りの第２保留が２個となった後に、第２保留の外
れ保留と当り保留とが順に発生した場合が示されている。この図３２（ｂ）に示すケース
には、告知演出モード進行過程において第２保留（外れ保留）の個数が３個となり、その
状態で第２特図の変動表示が開始されて残りの第２保留が２個となった後に、第２保留の
外れ保留と当り保留とが順に発生した場合を含めて考えても良い。
【０１６２】
図３２（ｂ）に示すケースにおいて、当り告知演出実行時間が最も長くなるのは、外れ
保留に該当する３個の第２保留が２個となった直後（第２特図の変動表示開始直後）に第
２保留の外れ保留と当り保留とが立て続けに発生した場合である。この場合、第２保留が
３個の状態で変動表示を開始した第２特図の変動時間と、新たに発生した２個の第２保留
（外れ保留と当り保留）を含む４個の第２保留に対応する第２特図の変動時間を合計する
と「１５秒（＝２．５秒×４＋５秒）」となり、これが図３２（ｂ）に示すケースでの最
長の当り告知演出実行時間となる。
【０１６３】
また、図３２（ｂ）に示すケースにおいて、当り告知演出実行時間が最も短くなるのは
、外れ保留に該当する３個の第２保留が１個となった状態で１個目の第２保留（外れ保留
）が発生し（第２保留が２個に増加）、その後、第２特図の変動表示が開始されて（第２
保留が２個から１個に減少）当該変動表示が終了する直前（残り１個の第２保留に対応す
る第２特図の変動表示が開始される直前）に、２個目の第２保留（当り保留）が発生した
場合である。この場合、１個目の第２保留（外れ保留）に対応する第２特図の変動時間と
、２個目の第２保留（当り保留）に対応する第２特図の変動時間とを合計すると「７．５
秒（＝２．５秒＋５秒）」となり、これが、図３２（ｂ）に示すケースでの最短の当り告
知演出実行時間となる。
【０１６４】
従って、図３２（ｂ）に示すケースでは、当り告知演出実行時間は「７．５〜１５秒」
の間で変動し得る。尚、大当り遊技終了後（告知演出モード開始後）、２つめに発生した
第２保留が当り保留であって、その当り保留が発生するタイミングが、１つめに発生した
第２保留（外れ保留）に対応する第２特図の変動表示開始直後になると、その１つめの第
２保留（外れ保留）に対応する変動時間は「１３秒」と長い時間に設定される。その結果
、実質的には図３２（ａ）と同じとなるので、図３２（ｂ）では考慮の対象から除外して
いる。
【０１６５】
図３３は、大当り遊技終了後（告知演出モード開始後）、３つめに発生した第２保留が
当り保留であった場合に、その当り保留の発生から消化までに要する時間を示した説明図
である。図３３（ａ）には、大当り遊技の終了時点（告知演出モードの開始時点）では第
２保留が残っていなかった場合が示されている。具体的には、大当り遊技終了時点（告知
演出モード開始時点）では第２保留が存在しておらず、その状態から、外れ保留に該当す
る２個の第２保留と当り保留に該当する１個の当り保留が順に発生した場合が示されてい
る。この図３３（ａ）に示すケースでは、図３１（ａ）や図３２（ａ）の場合と同様に考
えれば、当り告知演出実行時間は「５〜２０．５秒」の間で変動し得ることが分かる。な
お、図３３（ａ）に示すケースには、告知演出モード進行過程において第２保留の個数が
０個で第２特図が変動表示していない（停止表示している）状態となり、その状態から外
れ保留に該当する２個の第２保留と当り保留に該当する１個の当り保留が順に発生した場
合を含めて考えても良い。
【０１６６】
一方、図３３（ｂ）には、大当り遊技の終了時点で２個の第２保留（外れ保留）が蓄え
られており、その状態から告知演出モードに移行して第２特図の変動表示が開始され、そ
の変動開始直後（残りの第２保留が１個となった直後）に、外れ保留に該当する２個の第
２保留と当り保留に該当する１個の第２保留が立て続けに発生した場合が示されている。
この図３３（ｂ）に示すケースには、告知演出モード進行過程において第２保留（外れ保
留）の個数が２個となり、その状態で第２特図の変動表示が開始されて残りの第２保留が
２個となった直後に、第２保留として２個の外れ保留と１個の当り保留とが立て続けに発
生した場合も含まれる。この場合、図３２（ｂ）と全く同様に、最長の当り告知演出実行
時間は「１５秒」となる。
【０１６７】
図３４は、大当り遊技終了後（告知演出モード開始後）、４つめに発生した第２保留が
当り保留であった場合に、その当り保留の発生から消化までに要する時間を示した説明図
である。図３４（ａ）には、大当り遊技の終了時点（告知演出モードの開始時点）で第２
保留が残っていなかった場合が示されている。具体的には、大当り遊技終了時点（告知演
出モード開始時点）では第２保留が存在しておらず、その状態から、３個の外れの第２保
留と１個の当りの第２保留とが、この順に発生した場合が示されている。この図３４（ａ
）に示すケースでは、図３０（ａ）や図３１（ａ）の場合と同様に考えれば、当り告知演
出実行時間は「５〜２３秒」の間で変動し得ることが分かる。なお、図３４（ａ）に示す
ケースには、告知演出モード進行過程において第２保留の個数が０個で第２特図が変動表
示していない（停止表示している）状態となり、その状態から外れ保留に該当する３個の
第２保留と当り保留に該当する１個の当り保留が順に発生した場合も含めて考えて良い。
【０１６８】
一方、図３４（ｂ）には、大当り遊技の終了時点で１個の第２保留（外れ保留）が蓄え
られており、その状態から告知演出モードに移行して第２特図の変動表示が開始され、そ
の変動開始直後（残りの第２保留が０個となった直後）に、外れ保留に該当する３個の第
２保留と当り保留に該当する１個の第２保留が立て続けに発生した場合が示されている。
この場合、大当り遊技終了後（告知演出モード開始後）に最初に発生した外れ保留に対応
する第２特図の変動時間は「１３秒」に設定されるので、最長の当り告知演出実行時間は
「２５．５秒」となる。
【０１６９】
更に、図３５には、大当り遊技終了時点（告知演出モード開始時点）では第２保留が残
っておらず、大当り遊技終了後（告知演出モード開始後）に外れ保留に該当する１個の第
２保留が発生して直ちに第２特図の変動表示が開始され、この変動表示中に外れ保留に該
当する３個の第２保留と当り保留に該当する１個の第２保留が立て続けに発生した場合が
示されている。この場合の当り保留の発生から消化までに要する時間は、大当り遊技終了
後の最初に発生した外れ保留に対応する第２特図の変動時間が「１３秒」に設定されるの
で、最長の当り告知演出実行時間は「２５．５秒」となる。尚、図３５で想定したケース
では、大当り遊技の終了時点で第２保留が残っていると第２保留の上限値を超えてしまう
ので、大当り遊技終了時点で第２保留が残っていた場合は考慮する必要がない。一方、図
３５における最小の当り告知演出実行時間は、図３０（ａ）の場合と同様に考えて「５秒
」となる。
【０１７０】
以上、図３１〜図３５を用いて詳しく説明したように、大当り遊技の終了後、第２保留
の当り保留が発生したときの状況（すなわち保留数や、特別図柄の変動有無など）は種々
の状態を取り得るが、特殊変動フラグがＯＮに設定されて告知演出モードでの遊技が行わ
れる間は、第２保留の当り保留が発生してから消化されるまで（ここでは、大当りが確定
表示されるまで）の経過時間は次のような値になる。すなわち、当り保留の発生時にＮ個
の第２保留（外れ保留）が記憶されていたとすると、最も短い時間は、Ｎ回の外れ変動に
要する時間に、当り保留に対応する当り変動の時間（＝Ｎ×２．５＋５秒）となる。また
、最も長い時間は、Ｎ＋１回の外れ変動に要する時間に、当り保留に対応する当り変動の
時間（＝（Ｎ＋１）×２．５＋５秒）となる。また、第２保留の上限値は４個であり、当
り保留の分を考慮すると、Ｎは０個〜３個までの値しか取り得ないから、図３１〜図３５
に示したように全ての場合を考慮しても、結局、第２保留の当り保留が発生してから、そ
の当り保留が消化されて大当りが確定表示されるまでの経過時間は「５秒〜２５．５秒」
の範囲の時間しか取り得ない。本実施例のパチンコ機１では、このことに着目することに
より、第２保留の当り保留が発生すると、図２７（ｅ）〜（ｇ）に例示したように直ちに
動画の再生を開始して、大当りが確定表示されるまで継続されるという特殊な態様の当り
告知演出を行うことを可能としている。
【０１７１】
そこで、図３０に示した告知演出実行処理のＳ１１１６では、当り告知演出を開始する
に先立って、以下のようにして当り告知演出実行時間を算出する。先ず、その当り保留が
発生する前に既に記憶されていた第２保留の外れ保留の個数を取得する。図１１および図
１２を用いて前述したように、第１保留あるいは第２保留が発生する度に、主制御基板２
００からサブ制御基板２２０に向かって始動入賞コマンドが送信され、また、それら保留
に対応して第１特図あるいは第２特図の変動表示が開始される度に、主制御基板２００か
らは変動パターン指定コマンドや、停止図柄指定コマンドが送信される（図１５または図
２２参照）。従ってサブ制御基板２２０のＣＰＵ２２１は、これらコマンドの情報に基づ
いて現在の保留の状況を容易に把握することができる。加えて、特殊変動フラグがＯＮに
設定されている場合は、外れ保留であれば「２．５秒」または「１３秒」の何れかの変動
時間しか取り得ず（図２１および図２４参照）、当り保留であれば「５秒」の変動時間し
か取り得ない（図２０参照）。従って、第２保留の当り保留が発生した時に既に記憶され
ていた第２保留の外れ保留の個数がＮ個であったとすると、その当り保留が消化されて大
当りの発生が確定表示されるまでに、少なくとも「Ｎ×２．５秒＋５秒」以上の時間がか
かることになる。ここで「２．５秒」とは、第２特図が外れ変動するときの変動時間であ
る。また「５秒」とは、第２特図が当り変動するときの変動時間である。そこで、サブ制
御基板２２０のＣＰＵ２２１は、第２保留の当り保留が発生した時に既に記憶されていた
第２保留の外れ保留の個数Ｎを取得すると、「Ｎ×２．５秒＋５秒」によって得られた時
間を、当り告知演出実行時間として決定する（Ｓ１１１６）。
【０１７２】
あるいは、Ｓ１１１６においては、次のようにして当り告知演出実行時間を算出しても
良い。先ず、第２保留の当り保留が発生した時に、既に記憶されている第２保留の個数、
特別図柄（第２特図）が変動表示中であるか否かについての情報、更に、変動表示中であ
った場合はその残り変動時間についての情報を取得する。前述したように特別図柄（第２
特図）の変動開始時には、主制御基板２００からサブ制御基板２２０に向かって変動パタ
ーン指定コマンドおよび停止図柄指定コマンドが送信され、特別図柄が停止表示される際
には図柄停止コマンドが送信されるから、サブ制御基板２２０のＣＰＵ２２１は、これら
の情報に基づいて、特別図柄（第２特図）が変動表示中か否か、および残りの変動時間を
知ることができる。そして、これらの情報に基づいて、図３１〜図３５を用いて前述した
ようにして当り告知演出実行時間を算出することとしてもよい。
【０１７３】
図３０に示す告知演出実行処理では、以上のようにして当り告知演出実行時間を算出し
（Ｓ１１１６）、続いて、算出した当り告知演出実行時間に応じて当り告知演出内容（当
り告知演出パターン）を決定する（Ｓ１１１８）。本実施例のパチンコ機１では、当り告
知演出Ａ〜Ｆまでの６種類の動画が予め設定されており、それぞれの当り告知演出は、動
画の再生時間が異なっている。図３６は、本実施例のパチンコ機１に設定されている当り
告知演出内容と、それぞれの当り告知演出に対応する動画の再生時間を示した説明図であ
る。当り告知演出内容を決定するに際しては、先に算出した算出した当り告知演出実行時
間と再生時間が一致する当り告知演出内容を選択する。また、一致する当り告知演出内容
がなかった場合には、算出した告知演出実行時間よりも再生時間が短いものの中から、で
きるだけ告知演出実行時間に近い再生時間の当り告知演出内容を選択する。例えば、算出
した当り告知演出実行時間が「５秒」であれば、再生時間が「５秒」の当り告知演出Ａを
選択する。また、算出した当り告知演出実行時間が「１５秒」であれば再生時間が「１３
秒」の当り告知演出Ｃを選択し、更に当り告知演出実行時間が「２５．５秒」であれば、
再生時間が「２３秒」の当り告知演出Ｆを選択する。前述したように当り告知演出実行時
間は「５秒〜２５．５秒」の範囲でしか変動しないから、図３６に示すように、再生時間
の異なる６種類の当り告知演出内容を設定しておくだけで、適切な再生時間の当り告知演
出内容を選択することができる。
【０１７４】
こうして当り告知演出実行時間に応じた当り告知演出内容を決定したら（Ｓ１１１８）
、当り告知演出を実行する（Ｓ１１２０）。その結果、演出表示装置２７の画面上では、
図２７（ｅ）〜（ｇ）に例示したような動画の再生が行われることになる。尚、大当り遊
技終了後の告知演出モード中に第２保留の当り保留が発生すると、動画の再生を行って大
当りの発生を当り告知演出を開始する処理は、図２９および図３０に示す告知演出実行処
理の中で行われている。この告知演出実行処理はサブ制御基板２２０のＣＰＵ２２１によ
って実行されていることから、本実施例のサブ制御基板２２０に搭載されたＣＰＵ２２１
は、本発明における「当り告知演出実行手段」に対応している。
【０１７５】
以上では、図２９および図３０に示した告知演出実行処理の先頭で、第１特図の変動パ
ターン指定コマンドを受信していないと判断された場合に（Ｓ１１０２：ｎｏ）、第１始
動口１７ａまたは第２始動口１７ｂに遊技球が入球する度に外れ告知演出を行う処理、あ
るいは第２保留の当り保留が発生したときに当り告知演出を開始する処理について説明し
た。図２８に示した告知演出実行処理は大当り遊技の終了後に行われる処理であり、また
大当り遊技の終了後は開放延長フラグがＯＮに設定される。従って、告知演出実行処理が
行われている間（告知演出モード中）は、遊技球は主に第２始動口１７ｂに入球すること
となる。更に、第１特図よりも第２特図が優先して変動表示するから、告知演出実行処理
が行われている間はもっぱら第２特図による変動表示が行われる。しかしながら、第２保
留が無くなることも起こりえないわけではなく、この場合には第１特図の変動表示が開始
される。第１特図の変動表示が開始される場合は、Ｓ１１０２で「ｙｅｓ」と判断される
ので、続いて、告知演出カウンタから「１」を減算する（図３０のＳ１１２４）。このよ
うな処理を行うのは次のような理由によるものである。
【０１７６】
図１２を用いて前述したように、第２始動口１７ｂに遊技球が入球して第２保留が発生
した場合には、主制御基板２００からサブ制御基板２２０に向かって、始動入賞コマンド
Ｄが送信される。また、第２始動口１７ｂに遊技球が入球したが第２保留が発生しなかっ
た場合には、始動入賞コマンドＥが送信される。そして、図２９を用いて前述したように
サブ制御基板２２０のＣＰＵ２２１は、主制御基板２００から始動入賞コマンドＤを受信
すると（図２９のＳ１１０６：ｙｅｓ）、既に告知演出カウンタが「０」に達していない
限り、告知演出カウンタから「１」を減算する（Ｓ１１１０）。すなわち、第２保留が発
生する度に、告知演出カウンタが「１」ずつ減少していく。加えて、前述したように本実
施例のパチンコ機１では、第２保留は第１保留よりも優先して消化されるので、第２保留
が発生したら必ず第２特図の変動表示が行われる。結局、第２特図が変動表示する度に、
告知演出カウンタが「１」ずつ減少することになる。また、変動表示した第２特図が停止
表示する度に、特殊変動カウンタは「１」ずつ減少していく（図１４のＳ３７２）。
【０１７７】
一方、第１保留については、第２保留の方が優先されるので、たとえ第１保留が発生し
たとしても第１特図が変動表示されるとは限らない。しかし、仮に第１特図が変動表示さ
れた場合には、第１特図が変動表示を経て停止表示される際に特殊変動カウンタが減少す
る（図１４のＳ３７２）。そこで、特殊変動カウンタに合わせて告知演出カウンタを減少
させるために、第１特図が変動表示を開始したと判断された場合にも（図２９のＳ１１０
２：ｙｅｓ）、告知演出カウンタから「１」を減算しておくのである（図３０のＳ１１２
４）。
【０１７８】
続いて、第１特図の変動表示が大当りの変動か否かを判断する（Ｓ１１２６）。この判
断は、第１特図の変動パターン指定コマンドに続けて送信される停止図柄指定コマンドに
基づいて容易に実行することができる。その結果、大当りの変動ではないと判断された場
合は（Ｓ１１２６：ｎｏ）、外れ告知演出を実行する（Ｓ１１２２）。それに対して、大
当りの変動であると判断された場合は（Ｓ１１２６：ｙｅｓ）、当り告知演出内容Ａで当
り告知演出を実行する（Ｓ１１２８）。すなわち、図２０を用いて前述したように、特殊
変動フラグがＯＮの状態で第１保留の大当りが発生する場合の変動パターンは、変動時間
が「５秒」の変動パターンＨＰ９１が設定されるので、これに対応して、動画の再生時間
が「５秒」である当り告知演出内容Ａで、当り告知演出を行う。
【０１７９】
以上のようにして、当り告知演出または外れ告知演出を実行したら（Ｓ１１２０、Ｓ１
１２２、Ｓ１１２８）、大当り開始コマンドを受信したか否かを判断する（Ｓ１１３０）
。その結果、大当り開始コマンドを受信した場合は（Ｓ１１３０：ｙｅｓ）、第１特図ま
たは第２特図が大当り図柄で停止表示されて大当り遊技が開始されると判断できる。そこ
で、演出表示装置２７の画面上の表示を、大当り遊技の開始を報知する演出の画面（大当
り遊技開始画面）に切り換えることによって、大当り開始演出を実行する（Ｓ１１３６）
。尚、大当り遊技の開始に伴い、告知演出モードは必然的に終了することとなる。これに
対して、大当り開始コマンドを受信しなかった場合は（Ｓ１１３０：ｎｏ）、告知演出モ
ード終了コマンドを受信したか否かを判断する（Ｓ１１３２）。前述したように、告知演
出モード終了コマンドとは告知演出モードを終了させる旨を指定するコマンドであり、特
殊変動カウンタが「０」に達して特殊変動フラグがＯＦＦに設定された場合（図１４のＳ
３７４）に、主制御基板２００からサブ制御基板２２０に向かって送信される。
【０１８０】
また、告知演出モード開始コマンドを受信して、図２９の告知演出実行処理が開始され
た後、始動入賞コマンドを受信せず（図２９のＳ１１０２：ｎｏ）、かつ大当り開始コマ
ンドを受信しなかった場合（図３０のＳ１１３０：ｎｏ）にも、告知演出モード終了コマ
ンドを受信したか否かが判断される（Ｓ１１３２）。
【０１８１】
その結果、告知演出モード終了コマンドを受信していないと判断した場合は（Ｓ１１３
２：ｎｏ）、図２９および図３０の告知演出実行処理の先頭に戻って、Ｓ１１０２以降の
上述した一連の処理を行う。
【０１８２】
一方、告知演出モード終了コマンドを受信したと判断した場合には（図３０のＳ１１３
２：ｙｅｓ）、告知演出モード中に大当りが発生することなく特殊変動カウンタが「０」
に達したこととなる。そこで、告知演出モード終了コマンドを受信すると（Ｓ１１３２：
ｙｅｓ）、告知演出モードの終了を報知するための画像（本実施例では、魔神が去ってい
く動画の画像）を、演出表示装置２７の画面上に表示して（Ｓ１１３４）、告知演出モー
ドを終了させる。
【０１８３】
以上に説明したように、本実施例のパチンコ機１では、大当り遊技が終了すると、主制
御基板２００の側では特殊変動フラグをＯＮに設定して変動パターンを特殊な変動パター
ンに設定し、サブ制御基板２２０の側では図２９および図３０に示した告知演出実行処理
を行う。その結果、特殊変動フラグがＯＮに設定されている間は、図２７に例示した告知
演出が実行される。そして、特に第２保留の当り保留が発生した場合には、その当り保留
が発生してから大当り図柄が確定表示されるまで１つの動画を再生する態様で、当り告知
演出が実行される。このため、特別図柄が停止表示される度に演出が細切れになってしま
うことが無く、十分な時間をかけて効果的な告知演出を行うことが可能となる。
【０１８４】
特に、大当り遊技終了後は、第２始動口１７ｂの開放時間が延長されるので高い頻度で
第２保留が発生し、この保留を円滑に消化できるように特別図柄の変動時間が短縮される
ので、遊技の内容が単調になりがちである。しかしながら本実施例では、大当り遊技が終
了すると告知演出モードが開始され、告知演出モード中に第２保留の当り保留が発生する
と直ちに当り告知演出を開始している。このため、大当り遊技終了後は特別図柄の変動時
間を短縮することで第２保留を円滑に消化しながらも、当り保留が発生すると、既に存在
する保留の消化に要する時間を有効活用した一連の当り告知演出を発生させることができ
る。その結果、従来とは趣の異なる態様で遊技者に大当り発生を強く印象付けることが可
能となる。
【０１８５】
もっとも、こうした当り告知演出を行うためには、特殊な変動パターンが設定されるこ
とが前提となる。従って、第２保留の当り保留が発生して当り告知演出の動画再生を開始
したら、その当り保留に対応する第２特図の変動表示が終了して動画の再生が終了するま
で、特殊な変動パターンが設定されていることが必要となる。ここで、特殊な変動パター
ンが設定されるのは特殊変動フラグがＯＮに設定されている間であり、特殊変動フラグは
、大当り遊技が終了してから特殊変動カウンタが「０」に達するまで（換言すれば、第１
特図または第２特図の変動表示回数が５０回に達するまで）、ＯＮに設定されている。し
かし、特殊変動カウンタが「０」に達する直前（第１特図または第２特図の変動表示回数
が５０回に達する直前）では、第２保留の当り保留が発生したからといって、当り告知演
出を開始すると、その当り保留に対応して大当り図柄が停止表示されるまでの間に、特殊
変動フラグがＯＦＦに切り換わってしまい、特殊な変動パターンが設定されなくなってし
まうことも起こり得る。
【０１８６】
図３７は、第２保留の当り保留が発生してから大当り図柄が停止表示されるまでの間に
、特殊変動フラグが切り換わってしまう場合を例示した説明図である。図３７には、告知
演出モード中に第２保留が蓄えられながら特別図柄（第２特図）の変動表示が行われ、こ
れに伴って特殊変動カウンタが１つずつ減少する様子が示されている。保留は特別図柄の
変動中に発生するものであるから、発生した保留に対応して特別図柄の変動表示が開始さ
れるまでには若干の時間遅れが発生する。従って、特殊変動フラグがＯＮの期間中に発生
した保留でも、その保留が消化されるときには既に特殊変動フラグがＯＦＦに切り換わっ
ている場合が起こり得る。図３７に示した例では、斜線を付した第２保留が発生した時点
では、特殊変動フラグがＯＮに設定されている。しかし、それらの保留が消化される段階
では、既に特殊変動カウンタの値が「０」に達して特殊変動フラグがＯＦＦに切り換えら
れてしまう（図１４のＳ３７２〜Ｓ３７４参照）。従って、このような斜線を付した保留
として第２保留の当り保留が発生した場合には、その当り保留に対応して第２特図の変動
表示が開始されるより前に特殊変動フラグがＯＦＦに切り換わってしまう。その結果、変
動表示毎に変動パターン（特別図柄の変動時間）は大きく変動することになり、もはや当
り保留発生から大当りの確定表示までに要する時間を推定して、当り告知演出を実行する
ことはできない。
【０１８７】
こうした点を考慮して、本実施例のパチンコ機１では、図２９および図３０を用いて前
述したようにサブ制御基板２２０でも「告知演出カウンタ」を用いて告知演出の実行回数
を計数することにより、特殊変動カウンタが「０」に達する直前で第２保留の当り保留が
発生した場合でも、適切に当り告知演出を実行することが可能となっている。以下ではこ
の点について詳しく説明する。
【０１８８】
図３８は、大当り遊技の終了後に告知演出モードが開始され、その告知演出モードが終
了するまでの間に遊技が進行する様子を表した説明図である。図中の最上段および２段目
には第２保留が発生する様子と、第２保留を消化するために特別図柄（第２特図）が変動
表示する様子が示されている。また上から３段目には、大当り遊技終了後からの変動表示
回数が示されており、上から４段目および５段目には、特殊変動カウンタの値が減少して
いく様子と、特殊変動フラグの設定が切り換わる様子が示されている。以上の５つの項目
は、主制御基板２００側で制御される項目である。また、図中の最下段には、告知演出カ
ウンタの値が減少する様子が示されている。この告知演出カウンタは、サブ制御基板２２
０側で制御される項目である。
【０１８９】
尚、図３８では、保留は全て外れ保留であるものとする。また、図３８では、大当り遊
技の終了時点で２つの第２保留が蓄えられていた場合を想定している。
【０１９０】
図２６を用いて前述したように、大当り遊技が終了すると特殊変動フラグがＯＮに設定
され、特殊変動カウンタの値が「５０」に設定された後、主制御基板２００からサブ制御
基板２２０に向かって告知演出モード開始コマンドが送信される（図２６のＳ４２８〜Ｓ
４３２参照）。また、大当り遊技の終了時点で２つの第２保留が残っているから、大当り
遊技の終了後は、蓄えられていた第２保留に対応して直ちに第２特図の変動表示が開始さ
れる。図３８には、大当り遊技の終了時に特殊変動カウンタが「５０」に設定され、サブ
制御基板２２０に向かって告知演出モード開始コマンドが送信された後、１回目の特別図
柄の変動表示が開始される様子が示されている。
【０１９１】
また、図２８を用いて前述したように、サブ制御基板２２０側では、主制御基板２００
からの告知演出モード開始コマンドを受信すると、告知演出カウンタの初期値が設定され
る。告知演出カウンタの初期値は、告知演出の最大実行回数から、大当り遊技終了時の第
２保留数を減算した値に設定される（図２８のＳ１０１０、Ｓ１０１２）。告知演出の最
大実行回数は特殊変動カウンタの初期値と同じ値（「５０」回）であり、既存の第２保留
数は、ここでは「２個」であるから、告知演出カウンタの初期値は「４８（＝５０−２）
」に設定される。
【０１９２】
本実施例のパチンコ機１では、大当り遊技の終了時には、主制御基板２００側およびサ
ブ制御基板２２０側のそれぞれで、以上のような処理が行われる。その後は、主制御基板
２００側では、特別図柄が変動表示して停止表示される度に特殊変動カウンタの値を「１
」ずつ減算するとともに（図１４のＳ３７１、Ｓ３７２）、第１始動口１７ａまたは第２
始動口１７ｂに遊技球が入球する度に、サブ制御基板２２０に向かって始動入賞コマンド
を送信する（図１１のＳ２６８〜Ｓ２７２、Ｓ２８６、Ｓ２８８）。尚、大当り遊技終了
後は開放延長フラグがＯＮに設定されて、第２始動口１７ｂの開放時間が延長されるので
、遊技球はほとんど第２始動口１７ｂに入球すると考えて良い。そこで以下では、全ての
遊技球が第２始動口１７ｂに入球するものとする。この場合、発生した保留は全て第２保
留となり、主制御基板２００からサブ制御基板２２０に送信される始動入賞コマンドは、
全て始動入賞コマンドＤとなる。
【０１９３】
また、サブ制御基板２２０側では、第２保留の発生に伴って始動入賞コマンドＤを受信
すると、告知演出カウンタから「１」を減算した後（図２９のＳ１１１０）、外れ告知演
出を行う（図３０のＳ１１２２）。これを図３８に示した例に則して説明すると、大当り
遊技の終了後に最初に第２保留が発生すると、主制御基板２００から始動入賞コマンドＤ
が送信されて、これを受けてサブ制御基板２２０では告知演出カウンタから「１」が減算
される。ここでは大当り遊技終了時点で２つの第２保留が記憶されているとしているから
、大当り遊技終了後に最初に発生した第２保留は、大当り遊技終了後、３番目に消化され
る保留となる。また、告知演出カウンタの初期値は、上述したように「４８（＝５０−２
）」に設定されているから、３番目に消化される第２保留が発生したことを受けて告知演
出カウンタの値は「４８」から「４７」に減少する。その次に発生した第２保留（大当り
遊技終了後、４番目に消化される保留）が発生すると、告知演出カウンタの値は「４７」
から「４６」に減少する。
【０１９４】
このようにして第２保留が発生する度に告知演出カウンタの値が「１」ずつ減少してい
き、大当り遊技終了から５０番目に消化される第２保留が発生すると、告知演出カウンタ
の値が「１」から「０」に減少する。図３８に示したように、この時点では、特別図柄は
大当り遊技終了後から４８回目の変動表示が開始されようとしている段階であり、特殊変
動カウンタの値も「３」に減少した直後である。従って、特殊変動フラグはＯＮの状態が
継続され、告知演出モードも継続されている。しかし、それにも拘わらず、告知演出カウ
ンタの値が「０」に達した後は、たとえ第２保留が当り保留であっても当り告知演出は行
わずに、外れ告知演出を行う（図２９のＳ１１０８、および図３０のＳ１１２２）。
【０１９５】
その後、大当り遊技終了後から５０回目の特別図柄の変動表示が停止表示されると、特
殊変動カウンタの値が１つ減少して「０」になり（図１４のＳ３７２参照）、特殊変動フ
ラグがＯＦＦに切り換えられた後（図１４のＳ３７４参照）、主制御基板２００からサブ
制御基板２２０に告知演出モード終了コマンドが送信される（図１４のＳ３７５参照）。
これを受けてサブ制御基板２２０では告知演出モードが終了する（図３０のＳ１１３２〜
Ｓ１１３４）。
【０１９６】
以上に詳しく説明したように本実施例のパチンコ機１では、大当り遊技終了後から５０
番目に消化される第２保留が発生すると、特殊変動カウンタの値が「０」に達していなく
ても、告知演出カウンタの値が「０」となる。このようなことが可能となるのは、告知演
出カウンタの初期値を、告知演出の最大実行回数（すなわち特殊変動カウンタの初期値）
から既存の第２保留数（大当り遊技終了時に蓄えられていた第２保留の個数）を減算した
値に設定していることによる。そして、告知演出カウンタの値が「０」になった後は、た
とえ当りの第２保留が発生しても当り告知演出は開始しない。何故なら、告知演出カウン
タの値が「０」になった後に発生した保留は、大当り遊技終了後から５０番目よりも後に
消化される保留であって、その保留に対応して特別図柄が変動表示される頃には特殊変動
フラグは既にＯＦＦになっているからである。これを逆に言えば、告知演出カウンタの値
が「０」に達する前に発生した第２保留が当り保留であった場合には、その保留が消化さ
れるまでは特殊変動フラグはＯＮに設定されたままであり、当り告知演出を行うことがで
きることになる。このように、本実施例のパチンコ機１では、特殊変動カウンタに加えて
サブ制御基板２２０側で告知演出カウンタを減算するとともに、告知演出カウンタの初期
値を適切に設定しておくことで、特殊変動カウンタが「０」に達する直前で第２保留の当
り保留が発生した場合でも、適切に当り告知演出を実行することが可能となっているので
ある。
【０１９７】
また、大当り遊技終了時点で蓄えられていた第２保留の中に当り保留が存在していた場
合には、たとえ大当り遊技終了後に第２保留の当り保留が発生したとしても、その当り保
留が消化される前に、大当り遊技の終了時点で蓄えられていた保留に対応する大当りが発
生する。従ってこのような場合には、告知演出カウンタの値が「０」に達する前に第２保
留の当り保留が発生したからといって、その当り保留に対応する当り告知演出を開始して
も、その当り告知演出を完了させることはできない。本実施例のパチンコ機１では、こう
した点を考慮して、大当り遊技終了時点で蓄えられていた第２保留の中に当り保留が存在
していた場合には、図２８に示したように既存当り保留フラグがＯＮに設定される（図２
８のＳ１００８参照）。そして、その当り保留が消化されるまでの間に新たな第２保留の
当り保留が発生した場合でも、当り告知演出は行わないようになっている（図２９のＳ１
１１４および図３０のＳ１１２２参照）。このため、大当り遊技終了時点で存在する第２
保留の中に当り保留が存在する場合にも、当り告知演出が途中で中断するような事態を回
避して、適切に当り告知演出を実行することが可能となっている。
【０１９８】
以上、本発明について実施の形態を説明したが、本発明はこれに限定されるものではな
く、各請求項に記載した範囲を逸脱しない限り、各請求項の記載文言に限定されず、当業
者がそれらから容易に置き換えられる範囲にも及び、かつ、当業者が通常有する知識に基
づく改良を適宜付加することができる。
【０１９９】
例えば、上述した実施例では、図柄変動遊技（特別図柄遊技）を実現する構成として「
第１図柄表示装置２８（第１特別図柄）とこれに対応する固定式の第１始動口１７ａ」お
よび「第２図柄表示装置３２（第２特別図柄）とこれに対応する開閉式（チューリップ式
）の第２始動口１７ｂ（普通電動役物）」を備え、第２特別図柄を優先的に変動表示する
パチンコ機１（いわゆる特図２個タイプで優先変動機能を備えたパチンコ機）に、本発明
を適用したものについて説明した。
【０２００】
しかしながら、本発明は、図柄変動遊技（特別図柄遊技）を実行する構成として「一の
特別図柄とこれに対応する一の開閉式始動口（普通電動役物）」だけを備えるパチンコ機
（いわゆる特図１個タイプのパチンコ機）に適用することも当然可能である。この場合、
上述した実施例において「第１図柄表示装置２８（第１特別図柄）とこれに対応する固定
式の第１始動口１７ａ」を排除したものが「特図１個タイプのパチンコ機」に本発明を適
用した実施例となる。このような「特図１個タイプのパチンコ機」に本発明を適用した場
合においても、上述の実施例と同様に、大当り遊技終了後に特殊変動モードを開始して、
その特殊変動モード中に当り保留が発生した時点で一連の当り告知演出を開始することが
できる。よって、「特図１個タイプのパチンコ機」に本発明を適用した場合においても、
上述した実施例（特図２個タイプで優先変動機能を備えたパチンコ機１）と同様の効果を
得ることができる。
【符号の説明】
【０２０１】
１…パチンコ機、    １７ａ…第１始動口、    １７ｂ…第２始動口、
２７…演出表示装置、    ２８…第１図柄表示装置、  ３１ｄ…大入賞口、
３２…第２図柄表示装置、  ２００…主制御基板、
２０１…ＣＰＵ（大当り抽選乱数取得手段、図柄変動開始手段、大当り抽選手段、図柄
停止手段、保留記憶手段、事前判定手段、特定遊技実行手段）、
２２０…サブ制御基板、  ２２１…ＣＰＵ（当り告知演出実行手段、当り保留有無検出
手段、当り告知演出禁止手段）
【図１】
0005440658.tif 000002
【図２】
0005440658.tif 000003
【図３】
0005440658.tif 000004
【図４】
0005440658.tif 000005
【図５】
0005440658.tif 000006
【図６】
0005440658.tif 000007
【図７】
0005440658.tif 000008
【図８】
0005440658.tif 000009
【図９】
0005440658.tif 000010
【図１０】
0005440658.tif 000011
【図１１】
0005440658.tif 000012
【図１２】
0005440658.tif 000013
【図１３】
0005440658.tif 000014
【図１４】
0005440658.tif 000015
【図１５】
0005440658.tif 000016
【図１６】
0005440658.tif 000017
【図１７】
0005440658.tif 000018
【図１８】
0005440658.tif 000019
【図１９】
0005440658.tif 000020
【図２０】
0005440658.tif 000021
【図２１】
0005440658.tif 000022
【図２２】
0005440658.tif 000023
【図２３】
0005440658.tif 000024
【図２４】
0005440658.tif 000025
【図２５】
0005440658.tif 000026
【図２６】
0005440658.tif 000027
【図２７】
0005440658.tif 000028
【図２８】
0005440658.tif 000029
【図２９】
0005440658.tif 000030
【図３０】
0005440658.tif 000031
【図３１】
0005440658.tif 000032
【図３２】
0005440658.tif 000033
【図３３】
0005440658.tif 000034
【図３４】
0005440658.tif 000035
【図３５】
0005440658.tif 000036
【図３６】
0005440658.tif 000037
【図３７】
0005440658.tif 000038
【図３８】
0005440658.tif 000039